(57)【要約】      （修正有）【課題】中継伝送の複雑度、伝送遅延を低減することができる中継伝送方法を提供する。【解決手段】中継端末デバイスは、送信側デバイスが受信側デバイスに送信する第１の下位レイヤデータフレームを受信することと、下位レイヤにおいて、第１の下位レイヤデータフレームを転送する必要があることを確定し、転送処理を行う。第１の下位レイヤデータフレームは、送信側デバイスにて、遠端端末デバイスの識別子情報を含むＭＡＣＰＤＵに対して処理を行い生成される。ここで送信側デバイスが遠端端末デバイスであり、且つ、受信側デバイスがネットワークデバイスであるか又は送信側デバイスがネットワークデバイスであり、且つ、受信側デバイスが遠端端末デバイスである。【選択図】図３
2020171052.tif 000002
【特許請求の範囲】
【請求項１】
中継伝送方法であって、
中継端末デバイスは、送信側デバイスが受信側デバイスに送信する第１の下位レイヤデータフレームを受信することと、
前記中継端末デバイスは、下位レイヤにおいて、前記第１の下位レイヤデータフレームを転送する必要があることを確定することと、
前記中継端末デバイスは、下位レイヤにおいて、前記第１の下位レイヤデータフレームに対して転送処理を行うことと、
を含み、
ここで、前記第１の下位レイヤデータフレームが、前記送信側デバイスが下位レイヤにおいて、遠端端末デバイス識別子情報を含むメディアアクセス制御（ＭＡＣ）プロトコルデータユニット（ＰＤＵ）に対して処理して得られるものであり、
前記送信側デバイスが前記遠端端末デバイスであり、且つ前記受信側デバイスがネットワークデバイスであり、又は前記送信側デバイスがネットワークデバイスであり、且つ前記受信側デバイスが前記遠端端末デバイスである、
ことを特徴とする前記中継伝送方法。
【請求項２】
前記第１の下位レイヤデータフレームは、前記送信側デバイスが中継伝送用の伝送リソースを使用して送信されるものであり、
前記中継端末デバイスが前記第１の下位レイヤデータフレームを転送する必要があることを確定することは、
前記中継端末デバイスは、前記第１の下位レイヤデータフレームに占用される前記伝送リソースに基づいて、前記第１の下位レイヤデータフレームを転送する必要があることを確定することを含む、
ことを特徴とする請求項１に記載の中継伝送方法。
【請求項３】
前記遠端端末デバイスの識別子情報は、前記遠端端末デバイスのレイヤ２識別子又は前記遠端端末デバイスの端末デバイス識別子を含む、
ことを特徴とする請求項１〜２のいずれか１項に記載の中継伝送方法。
【請求項４】
前記ネットワークデバイスの下位レイヤは、具体的に物理層であり、前記遠端端末デバイスの下位レイヤは、前記遠端端末デバイス及び前記中継端末デバイスとの間で採用されるＤ２Ｄ通信技術と対応する、
ことを特徴とする請求項１〜３のいずれか１項に記載の中継伝送方法。
【請求項５】
前記遠端端末デバイスの識別子情報は、前記ＭＡＣ  ＰＤＵのＭＡＣ制御要素フィールドにベアリングされる、
ことを特徴とする請求項１〜４のいずれか１項に記載の中継伝送方法。
【請求項６】
前記送信側デバイスが前記遠端端末デバイスであり、且つ前記受信側デバイスが前記ネットワークデバイスである場合、前記中継端末デバイスが下位レイヤにおいて前記第１の下位レイヤデータフレームに対して転送処理を行う前に、前記方法は、
前記中継端末デバイスは、下位レイヤにおいて、物理アップリンク制御チャネル（ＰＵＣＣＨ）リソースとデータ量又はデータ量区間との対応関係に基づいて、前記第１の下位レイヤデータフレームに含まれるデータ量に対応する物理アップリンク制御チャネル（ＰＵＣＣＨ）リソースを確定することと、
前記中継端末デバイスは、前記対応するＰＵＣＣＨリソースを使用して、前記ネットワークデバイスにスケジューリング要求を送信することと、
をさらに含む、
ことを特徴とする請求項１〜５のいずれか１項に記載の中継伝送方法。
【請求項７】
前記送信側デバイスが前記遠端端末デバイスであり、且つ前記受信側デバイスが前記ネットワークデバイスである場合、前記中継端末デバイスが下位レイヤにおいて前記第１の下位レイヤデータフレームに対して転送処理を行う前に、前記方法は、
前記中継端末デバイスは、下位レイヤにおいて、プリアンブルコードとデータ量又はデータ量区間との対応関係に基づいて、前記第１の下位レイヤデータフレームに含まれるデータ量に対応するプリアンブルコードを確定することと、
前記中継端末デバイスは、前記ネットワークデバイスに前記対応するプリアンブルコードを送信することと、
をさらに含み、
前記対応するプリアンブルコードが、前記ネットワークデバイスが前記中継端末デバイスにアップリンク伝送リソースを割り当てるために用いられる、
ことを特徴とする請求項１〜５のいずれか１項に記載の中継伝送方法。
【請求項８】
前記中継端末デバイスは、下位レイヤにおいて、前記第１の下位レイヤデータフレームに対して転送処理を行うことは、
前記中継端末デバイスは、前記第１の下位レイヤデータフレームに対して復号化処理を行い、前記第１の下位レイヤデータフレームに含まれるデータを取得することと、
前記中継端末デバイスは、前記データに対して符号化処理を行い、第２の下位レイヤデータフレームを得ることと、
前記中継端末デバイスは、前記第２の下位レイヤデータフレームを送信することと、
を含む、
ことを特徴とする請求項１〜７のいずれか１項に記載の中継伝送方法。
【請求項９】
前記中継端末デバイスが、下位レイヤにおいて、前記第１の下位レイヤデータフレームに対して転送処理を行うことは、
前記中継端末デバイスは、下位レイヤを介して前記第１の下位レイヤデータフレームを直接に送信することを含む、
ことを特徴とする請求項１〜７のいずれか１項に記載の中継伝送方法。
【請求項１０】
中継伝送方法であって、
送信側デバイスは、メディアアクセス制御（ＭＡＣ）プロトコルデータユニット（ＰＤＵ）を生成することと、
前記送信側デバイスは、中継端末デバイスに、下位レイヤで前記ＭＡＣ  ＰＤＵに対して処理して得られる第１の下位レイヤデータフレームを送信することと、
を含み、ここで、前記ＭＡＣ  ＰＤＵが遠端端末デバイスの識別子情報を含み、前記送信側デバイスが前記遠端端末デバイスであり、又は前記送信側デバイスがネットワークデバイスである、
ことを特徴とする前記中継伝送方法。
【発明の詳細な説明】
【技術分野】
【０００１】
本発明は通信分野に関し、さらに具体的に中継伝送方法及び装置に関する。
【背景技術】
【０００２】
デバイスツーデバイス（Ｄ２Ｄ：Ｄｅｖｉｃｅ−ｔｏ−Ｄｅｖｉｃｅ）技術は、隣接する端末デバイスが、ネットワークデバイスによる転送を必要とせずに、近距離範囲内でダイレクトリンクの方式によってデータ伝送することを意味する。Ｄ２Ｄ通信において、セルラーシステムと許可済み帯域リソースを共有し、統一したハイブリッドセルラー−Ｄ２Ｄネットワークが形成されることが可能である。当該ハイブリッドネットワークにおいて、一部の端末デバイスは、変わらずにセルラー通信モードで動作し、即ち、ネットワークデバイスによってその他の端末デバイスと通信することが可能であり、そして一部の端末デバイスは、Ｄ２Ｄ通信モードで動作し、即ち、その他の端末デバイスとの間のダイレクトリンクを介して、その他の端末デバイスとデータの直接伝送を行うことが可能である。
【０００３】
それ以外、Ｄ２Ｄ中継によってネットワークデバイスと端末デバイスとのデータ伝送を補助することができ、この場合、Ｄ２Ｄ中継とＤ２Ｄ端末との間ではＤ２Ｄ通信モードを利用し、そしてＤ２Ｄ中継とネットワークデバイスとの間ではセルラー通信モードを利用する。Ｄ２Ｄ中継は、半二重の方式を用いてデータを受信と伝送し、受信と伝送の過程の中でモードの変換を行う。
【０００４】
従来技術において、Ｄ２Ｄ中継は、インターネットプロトコル（ＩＰ：Ｉｎｔｅｒｎｅｔ  Ｐｒｏｔｏｃｏｌ）レイヤ（即ち、レイヤ３）を介してＤ２Ｄ端末とネットワークデバイスとの間のデータ伝送を中継し、受信されたデータパケットに対して、レイヤ１（即ち、物理層）、レイヤ２（メディアアクセス制御（ＭＡＣ：Ｍｅｄｉａ  Ａｃｃｅｓｓ  Ｃｏｎｔｒｏｌ）層、無線リンク制御（ＲＬＣ：Ｒａｄｉｏ  Ｌｉｎｋ  Ｃｏｎｔｒｏｌ）層、及びパケットデータ収束プロトコル（ＰＤＣＰ：Ｐａｃｋｅｔ  Ｄａｔａ  Ｃｏｎｖｅｒｇｅｎｃｅ  Ｐｒｏｔｏｃｏｌ）層を含む）、及びレイヤ３を順次に経由してデカプセル化処理を行う必要があり、そしてレイヤ３、レイヤ２、及びレイヤ１のカプセル化処理を順次に経て、データの中継を実現し、複雑度が高く、データ処理の遅延が大きい。
【発明の概要】
【０００５】
本発明の実施例は、中継伝送方法及び装置を提供し、中継伝送の複雑度、伝送遅延を低減することができる。
【０００６】
第１の態様において、中継伝送方法を提供し、中継端末デバイスは、送信側デバイスが受信側デバイスに送信する第１の下位レイヤデータフレームを受信することと、当該中継端末デバイスは、下位レイヤにおいて、当該第１の下位レイヤデータフレームを転送する必要があることを確定することと、当該中継端末デバイスは、下位レイヤにおいて、当該第１の下位レイヤデータフレームに対して転送処理を行うことと、を含み、ここで、当該第１の下位レイヤデータフレームが、当該送信側デバイスが下位レイヤで遠端端末デバイス識別子情報を含むＭＡＣ  ＰＤＵに対して処理して得られるものであり、当該送信側デバイスが当該遠端端末デバイスであり、且つ当該受信側デバイスがネットワークデバイスであり、又は当該送信側デバイスがネットワークデバイスであり、且つ当該受信側デバイスが当該遠端端末デバイスである。
【０００７】
任意選択で、当該中継端末デバイスは、下位レイヤにおいて受信される当該第１の下位レイヤデータフレームのみに対して処理を行うことができる。この場合、当該中継端末デバイスは、当該第１の下位レイヤデータフレームに対応する遠端端末デバイスを識別せずに、当該第１の下位レイヤデータフレームに対して転送処理を行うことができる。
【０００８】
任意選択で、当該中継端末デバイスは、中継伝送用の伝送リソースを使用して、当該第１の下位レイヤデータフレームに含まれるデータを転送することができる。
【０００９】
任意選択で、当該送信側デバイスがネットワークデバイスである場合、当該中継端末デバイスは、当該第１の下位レイヤデータフレームに含まれるデータをブロードキャストすることができる。
【００１０】
本発明の実施例に提供される中継伝送方法は、中継端末デバイスによって下位レイヤ中継の方式を採用して遠端端末デバイスとネットワークデバイスとの間のデータを中継し、ここで、遠端端末デバイス又はネットワークデバイスは、中継端末デバイスに下位レイヤデータフレームを送信し、当該中継端末デバイスは、下位レイヤにおいて遠端端末デバイスを識別せずに、受信されるデータフレームに中継データが含まれることを確定した場合、下位レイヤによって当該データフレームに対して中継転送処理を行い、従来技術における中継端末デバイスがレイヤ３を採用して中継を行う方式と比べて、中継端末デバイスの処理複雑度、中継データの伝送遅延を低減し、システム全体の性能を向上させることができる。
【００１１】
第１の態様の第１の可能な実現形態において、当該送信側デバイスがネットワークデバイスである場合、当該中継端末デバイスが、送信側デバイスが受信側デバイスに送信する第１の下位レイヤデータフレームを受信する前に、当該方法は、当該中継端末デバイスは、中継特定ＲＮＴＩによってアドレッシングすることをさらに含み、当該中継端末デバイスが当該第１の下位レイヤデータフレームを転送する必要があることを確定することは、当該第１の下位レイヤデータフレームが、当該中継端末デバイスが当該アドレッシングによって受信されるものである場合、当該中継端末デバイスは、当該第１の下位レイヤデータフレームを転送する必要があることを確定することを含む。
【００１２】
上記の可能な実現形態を結合し、第１の態様の第２の可能な実現形態において、当該第１の下位レイヤデータフレームは、当該送信側デバイスが中継伝送用の伝送リソースを使用して送信されるものであり、当該中継端末デバイスが当該第１の下位レイヤデータフレームを転送する必要があることを確定することは、当該中継端末デバイスは、当該第１の下位レイヤデータフレームに占用される当該伝送リソースに基づいて、当該第１の下位レイヤデータフレームを転送する必要があることを確定することを含む。
【００１３】
上記の可能な実現形態を結合し、第１の態様の第３の可能な実現形態において、当該遠端端末デバイスの識別子情報は、当該遠端端末デバイスのレイヤ２識別子又は当該遠端端末デバイスの端末デバイス識別子を含む。
【００１４】
上記の可能な実現形態を結合し、第１の態様の第４の可能な実現形態において、当該ネットワークデバイスの下位レイヤは、具体的に物理層であり、当該遠端端末デバイスの下位レイヤは、当該遠端端末デバイス及び当該中継端末デバイスとの間で採用されるＤ２Ｄ通信技術と対応する。
【００１５】
上記の可能な実現形態を結合し、第１の態様の第５の可能な実現形態において、当該遠端端末デバイスの識別子情報は、当該ＭＡＣ  ＰＤＵのＭＡＣ制御要素フィールドにベアリングされる。
【００１６】
上記の可能な実現形態を結合し、第１の態様の第６の可能な実現形態において、当該送信側デバイスが当該遠端端末デバイスであり、且つ当該受信側デバイスが当該ネットワークデバイスである場合、当該中継端末デバイスが、下位レイヤにおいて、当該第１の下位レイヤデータフレームに対して転送処理を行う前に、当該方法は、当該中継端末デバイスは、下位レイヤにおいて、ＰＵＣＣＨリソースとデータ量又はデータ量区間との対応関係に基づいて、当該第１の下位レイヤデータフレームに含まれるデータ量に対応するＰＵＣＣＨリソースを確定することと、当該中継端末デバイスは、当該対応するＰＵＣＣＨリソースを使用して、当該ネットワークデバイスにスケジューリング要求を送信することとをさらに含む。
【００１７】
上記の可能な実現形態を結合し、第１の態様の第７の可能な実現形態において、当該送信側デバイスが当該遠端端末デバイスであり、且つ当該受信側デバイスが当該ネットワークデバイスである場合、当該中継端末デバイスが、下位レイヤにおいて、当該第１の下位レイヤデータフレームに対して転送処理を行う前に、当該方法は、当該中継端末デバイスは、下位レイヤにおいて、プリアンブルコードとデータ量又はデータ量区間との対応関係に基づいて、当該第１の下位レイヤデータフレームに含まれるデータ量に対応するプリアンブルコードを確定することと、当該中継端末デバイスは、当該ネットワークデバイスに当該対応するプリアンブルコードを送信することとをさらに含み、当該対応するプリアンブルコードが、当該ネットワークデバイスが当該中継端末デバイスにアップリンク伝送リソースを割り当てるために用いられる。
【００１８】
上記の可能な実現形態を結合し、第１の態様の第８の可能な実現形態において、当該中継端末デバイスは、下位レイヤにおいて、当該第１の下位レイヤデータフレームに対して転送処理を行うことは、当該中継端末デバイスは、当該第１の下位レイヤデータフレームに対して復号化処理を行うことと、当該第１の下位レイヤデータフレームに含まれるデータを取得することと、当該中継端末デバイスは、当該データに対して符号化処理を行い、第２の下位レイヤデータフレームを得ることと、当該中継端末デバイスは、当該第２の下位レイヤデータフレームを送信することとを含む。
【００１９】
上記の可能な実現形態を結合し、第１の態様の第９の可能な実現形態において、当該中継端末デバイスが、下位レイヤにおいて、当該第１の下位レイヤデータフレームに対して転送処理を行うことは、当該中継端末デバイスは、下位レイヤを介して当該第１の下位レイヤデータフレームを直接に送信することを含む。
【００２０】
第２の態様において、別の一つの中継伝送方法を提供し、送信側デバイスはＭＡＣ  ＰＤＵを生成することと、当該送信側デバイスは、中継端末デバイスに、下位レイヤで当該ＭＡＣ  ＰＤＵに対して処理して得られる第１の下位レイヤデータフレームを送信することと、を含み、ここで、当該ＭＡＣ  ＰＤＵが遠端端末デバイスの識別子情報を含み、当該送信側デバイスが当該遠端端末デバイスであり、又は当該送信側デバイスがネットワークデバイスである。
【００２１】
第２の態様の第１の可能な実現形態において、当該送信側デバイスがネットワークデバイスである場合、当該送信側デバイスが中継端末デバイスに当該第１の下位レイヤデータフレームを送信する前に、当該方法は、当該ネットワークデバイスは、当該中継端末デバイスに物理ダウンリンク制御チャネル（ＰＤＣＣＨ）を送信することをさらに含み、ここで、当該ＰＤＣＣＨが当該第１の下位レイヤデータフレームをスケジューリングするために用いられ、しかも当該ＰＤＣＣＨが中継特定ＲＮＴＩを使用してスクランブリングされるものである。
【００２２】
上記の可能な実現形態を結合し、第２の態様の第２の可能な実現形態において、当該送信側デバイスが中継端末デバイスに当該第１の下位レイヤデータフレームを送信することは、当該送信側デバイスは、中継伝送用の伝送リソースを使用して、中継端末デバイスに当該第１の下位レイヤデータフレームを送信することを含む。
【００２３】
上記の可能な実現形態を結合し、第２の態様の第３の可能な実現形態において、当該遠端端末デバイスの識別子情報は、当該遠端端末デバイスのレイヤ２識別子又は当該遠端端末デバイスの端末デバイス識別子を含む。
【００２４】
上記の可能な実現形態を結合し、第２の態様の第４の可能な実現形態において、当該ネットワークデバイスの下位レイヤは、具体的に物理層であり、当該遠端端末デバイスの下位レイヤは、当該遠端端末デバイス及び当該中継端末デバイスとの間で採用されるＤ２Ｄ通信技術と対応する。
【００２５】
上記の可能な実現形態を結合し、第２の態様の第５の可能な実現形態において、当該遠端端末デバイスの識別子情報は、当該ＭＡＣ  ＰＤＵのＭＡＣ制御要素フィールドにベアリングされる。
【００２６】
第３の態様において、別の一つの中継伝送方法を提供し、受信側デバイスは、中継端末デバイスにより送信される第２の下位レイヤデータフレームを受信することと、当該受信側デバイスは、上位レイヤにおいて、当該遠端端末デバイスの識別子情報に基づいて、当該第２の下位レイヤデータフレームが当該遠端端末デバイスに対応することを確定することとを含み、ここで、当該第２の下位レイヤデータフレームが、下位レイヤで遠端端末デバイスの識別子情報を含むＭＡＣ  ＰＤＵに対して処理して得られるものであり、当該受信側デバイスがネットワークデバイスであり、又は当該受信側デバイスが当該遠端端末デバイスである。
【００２７】
ここで、任意選択で、当該上位レイヤは、具体的に、ユーザプレーンプロトコルスタック内の下位レイヤより上位であるレイヤ、例えば、レイヤ２内のＭＡＣ層、ＲＬＣ層又はＰＤＣＰ層、等々である。
【００２８】
第３の態様の第１の可能な実現形態において、当該受信側デバイスが、中継端末デバイスにより送信される第２の下位レイヤデータフレームを受信することは、当該受信側デバイスは、中継端末デバイスが中継伝送用の伝送リソースを使用して送信される第２の下位レイヤデータフレームを受信すること、を含み、当該方法は、当該受信側デバイスは、当該第２の下位レイヤデータフレームに占用される伝送リソースに基づいて、当該第２の下位レイヤデータフレームが当該中継端末デバイスにより転送されるものであることを確定することをさらに含む。
【００２９】
上記の可能な実現形態を結合し、第３の態様の第２の可能な実現形態において、当該方法は、当該受信側デバイスが当該ネットワークデバイスである場合、当該ネットワークデバイスは、当該遠端端末デバイスに対応するデータ伝送トンネリングを確定することと、当該ネットワークデバイスは、当該対応するデータ伝送トンネリングを介して、コアネットワークデバイスに、当該第２の下位レイヤデータフレームに含まれるデータを送信することをさらに含む。
【００３０】
上記の可能な実現形態を結合し、第３の態様の第３の可能な実現形態において、当該遠端端末デバイスの識別子情報は、当該遠端端末デバイスのレイヤ２識別子又は当該遠端端末デバイスの端末デバイス識別子を含む。
【００３１】
上記の可能な実現形態を結合し、第３の態様の第４の可能な実現形態において、当該ネットワークデバイスの下位レイヤは、具体的に物理層であり、当該遠端端末デバイスの下位レイヤは、当該遠端端末デバイス及び当該中継端末デバイスとの間で採用されるＤ２Ｄ通信技術と対応する。
【００３２】
上記の可能な実現形態を結合し、第３の態様の第５の可能な実現形態において、当該遠端端末デバイスの識別子情報は、当該ＭＡＣ  ＰＤＵのＭＡＣ制御要素フィールドにベアリングされる。
【００３３】
上記の可能な実現形態を結合し、第３の態様の第６の可能な実現形態において、当該受信側デバイスがネットワークデバイスである場合、当該受信側デバイスが、中継端末デバイスにより送信される第２の下位レイヤデータフレームを受信する前に、当該方法は、当該ネットワークデバイスは、当該中継端末デバイスにより送信されるスケジューリング要求を受信することと、当該ネットワークデバイスは、ＰＵＣＣＨリソースとデータ量又はデータ量区間との対応関係に基づいて、当該スケジューリング要求に占用されるＰＵＣＣＨリソースに対応するデータ量又はデータ量区間を確定することと、当該ネットワークデバイスは、当該対応するデータ量又はデータ量区間に基づいて、当該中継端末デバイスにアップリンク伝送リソースを割り当てることと、をさらに含む。
【００３４】
上記の可能な実現形態を結合し、第３の態様の第７の可能な実現形態において、当該受信側デバイスがネットワークデバイスである場合、当該受信側デバイスが、中継端末デバイスにより送信される第２の下位レイヤデータフレームを受信する前に、当該方法は、当該ネットワークデバイスは、当該中継端末デバイスにより送信されるプリアンブルコードを受信することと、当該ネットワークデバイスは、プリアンブルコードとデータ量又はデータ量区間との対応関係に基づいて、当該受信されるプリアンブルコードに対応するデータ量又はデータ量区間を確定することと、当該ネットワークデバイスは、当該対応するデータ量又はデータ量区間に基づいて、当該中継端末デバイスにアップリンク伝送リソースを割り当てることと、をさらに含む。
【００３５】
このように、当該ネットワークデバイスは、受信される当該プリアンブルコード又はスケジューリング要求に占用されるＰＵＣＣＨリソースに基づいて、アップリンク伝送リソースを割り当てることができ、当該中継端末デバイスは、アップリンク許可を要求する時に、バッファデータ量の大きさを示すためのバッファ報告を持たせる必要とせず、それによってシグナリングのオーバーヘッドを省くことができる。
【００３６】
第４の態様において、中継伝送装置を提供し、上記の第１の態様又は第１の態様の任意可能な実現形態の方法を実施するように構成される。具体的に、当該装置は、上記の第１の態様又は第１の態様の任意可能な実現形態の方法を実施するためのユニットを含む。
【００３７】
第５の態様において、別の一つの中継伝送装置を提供し、上記の第２の態様又は第２の態様の任意可能な実現形態の方法を実施するように構成される。具体的に、当該装置は、上記の第２の態様又は第２の態様の任意可能な実現形態の方法を実施するためのユニットを含む。
【００３８】
第６の態様において、別の一つの中継伝送装置を提供し、上記の第３の態様又は第３の態様の任意可能な実現形態の方法を実施するように構成される。具体的に、当該装置は、上記の第３の態様又は第３の態様の任意可能な実現形態の方法を実施するためのユニットを含む。
【００３９】
第７の態様において、別の一つの中継伝送装置を提供し、記憶ユニットとプロセッサとを含み、当該記憶ユニットは、命令を記憶するように構成され、当該プロセッサは、当該記憶装置に記憶されている命令を実行するように構成され、当該プロセッサが当該記憶装置に記憶されている命令を実行する時に、当該実行は、当該プロセッサに第１の態様又は第１の態様の任意可能な実現形態の方法を実行させる。
【００４０】
第８の態様において、別の一つの中継伝送装置を提供し、記憶ユニットとプロセッサとを含み、当該記憶ユニットは、命令を記憶するように構成され、当該プロセッサは、当該記憶装置に記憶されている命令を実行するように構成され、当該プロセッサが当該記憶装置に記憶されている命令を実行する時に、当該実行は、当該プロセッサに第２の態様又は第２の態様の任意可能な実現形態の方法を実行させる。
【００４１】
第９の態様において、別の一つの中継伝送装置を提供し、記憶ユニットとプロセッサとを含み、当該記憶ユニットは、命令を記憶するように構成され、当該プロセッサは、当該記憶装置に記憶されている命令を実行するように構成され、当該プロセッサが当該記憶装置に記憶されている命令を実行する時に、当該実行は、当該プロセッサに第３の態様又は第３の態様の任意可能な実現形態の方法を実行させる。
【００４２】
第１０の態様において、コンピュータ読み取り可能な媒体を提供し、コンピュータプログラムを記憶するように構成され、当該コンピュータプログラムは、第１の態様又は第１の態様の任意可能な実現形態の方法を実行するための命令を含む。
【００４３】
第１１の態様において、別の一つのコンピュータ読み取り可能な媒体を提供し、コンピュータプログラムを記憶するように構成され、当該コンピュータプログラムは、第２の態様又は第２の態様の任意可能な実現形態の方法を実行するための命令を含む。
【００４４】
第１２の態様において、別の一つのコンピュータ読み取り可能な媒体を提供し、コンピュータプログラムを記憶するように構成され、当該コンピュータプログラムは、第３の態様又は第３の態様の任意可能な実現形態の方法を実行するための命令を含む。
【００４５】
第１３の態様において、中継伝送システムを提供し、当該システムは、中継端末デバイス、遠端端末デバイス、及びネットワークデバイスを含み、ここで、当該中継端末デバイスのユーザプレーンプロトコルスタックは、下位レイヤ（レイヤ１を含む可能である）を含むことが可能であり、当該遠端端末デバイスのユーザプレーンプロトコルスタックは、レイヤ１、レイヤ２、及びレイヤ３を含むことが可能であり、当該ネットワークデバイスのユーザプレーンプロトコルスタックは、レイヤ１、レイヤ２、及びレイヤ３を含むことが可能であり、ここで、当該中継端末デバイスのレイヤ１は、当該遠端端末デバイスのレイヤ１と当該ネットワークデバイスのそれぞれのレイヤ１とのピアレイヤであり、当該遠端端末デバイスのレイヤ２は、当該ネットワークデバイスのレイヤ２とのピアレイヤである。
【００４６】
任意選択で、当該中継端末デバイスのユーザプレーンプロトコルスタックは、上位レイヤ（例えば、レイヤ２とレイヤ３）を含まずに、レイヤ１のみを含むことが可能である。任意選択で、中継する必要があるデータフレームに対応する遠端端末デバイスに対して識別する必要とせず、当該中継端末デバイスは、レイヤ１を介して中継伝送を行うことができる。この場合、ネットワークデバイスと遠端端末デバイスとによって、上位レイヤでデータフレームに対応する遠端端末デバイスを識別することができる。
【００４７】
任意選択で、当該中継端末デバイスは、第４の態様又は第４の態様の任意可能な実現方式における装置であっても良く、当該遠端端末デバイスとネットワークデバイスとにおける送信側デバイスは、第５の態様又は第５の態様の任意可能な実現形態における装置であっても良く、当該遠端端末デバイスとネットワークデバイスとにおける受信側デバイスは、第６の態様又は第６の態様の任意可能な実現形態における装置であっても良い。
【００４８】
任意選択で、当該中継端末デバイスは、第７の態様又は第７の態様の任意可能な実施形態における装置であっても良く、当該遠端端末デバイスとネットワークデバイスの送信側デバイスは、第８の態様又は第８の態様の任意可能な実現形態における装置であっても良く、当該遠端端末デバイスとネットワークデバイスの受信側デバイスは、第９の態様又は第９の態様の任意可能な実現形態における装置であっても良い。
【図面の簡単な説明】
【００４９】
【図１】本発明の実施例が適用する無線通信システムの概略的なフローチャートである。
【図２】本発明の実施例の各デバイスの中継通信用のユーザプレーンプロトコルスタックの概略図である。
【図３】本発明の実施例に提供される中継伝送方法の概略的なフローチャートである。
【図４】本発明の実施例に提供される中継伝送方法のＭＡＣ  ＰＤＵ構成の概略図である。
【図５】本発明の実施例に提供される別の一つの中継伝送方法の概略的なフローチャートである。
【図６】本発明の実施例に提供される別の一つの中継伝送方法の概略的なフローチャートである。
【図７】本発明の実施例に提供される中継伝送装置の概略的なブロック図である。
【図８】本発明の実施例に提供される別の一つの中継伝送装置の概略的なブロック図である。
【図９】本発明の実施例に提供される別の一つの中継伝送装置の概略的なブロック図である。
【図１０】本発明の実施例に提供される別の一つの中継伝送装置の概略的なブロック図である。
【図１１】本発明の実施例に提供される別の一つの中継伝送装置の概略的なブロック図である。
【図１２】本発明の実施例に提供される別の一つの中継伝送装置の概略的なブロック図である。
【発明を実施するための形態】
【００５０】
より明確に本発明の実施例を説明するために、上記において、実施例または先行技術の説明で必要となる図面を簡単に説明し、明らかに、上記に記載されている図面は、単なる本発明の幾つかの実施例に過ぎず、当業者にとって、創造的な労力を払わない前提で、これらの図面に基づいてその他の図面が得ることができる。
【００５１】
下記において、本発明の実施例の図面を結合し、本発明の実施例の技術案を明確的、全面的に説明し、当然、説明されている実施例は、本発明の一部の実施例に過ぎず、全ての実施例ではない。本発明の実施例に基づいて、当業者は、創造的な労力を払わずに得られた全てのその他の実施例は、本発明の範囲内である。
【００５２】
なお、用語の「システム」及び「ネットワーク」は、本願において互換して使用することができる。本願における用語「及び/又は」は、単なる関連対象の対応関係を説明しているだけであり、３つの関係が表されることができる。例えば、Ａ及び/又はＢは、Ａのみが存在する場合と、Ａ及びＢの両方とも存在する場合と、Ｂのみが存在する場合とを表すことができる。さらに、本願における文字“／”は、概して前後関連対象間の「又は」という関係を表している。
【００５３】
図１は、本発明の実施例が適用する無線通信システム１００の概略図であり、当該無線通信システム１００は、少なくとも一つのネットワークデバイス１１０を含む。ネットワークデバイス１００は、端末デバイスと通信するデバイスであっても良い。それぞれのネットワークデバイス１００は、特定した地理領域に通信カバレッジを提供することができ、当該カバレッジ領域内に位置する端末デバイスと通信できる。当該ネットワークデバイス１００は、ＧＳＭシステム又はシンボル分割多元接続（ＣＤＭＡ：Ｃｏｄｅ  Ｄｉｖｉｓｉｏｎ  Ｍｕｌｔｉｐｌｅ  Ａｃｃｅｓｓ）システムにおける基地局（ＢＴＳ：Ｂａｓｅ  Ｔｒａｎｓｃｅｉｖｅｒ  Ｓｔａｔｉｏｎ）であっても良く、ＷＣＤＭＡシステムにおける基地局（ＮＢ：ＮｏｄｅＢ）であっても良く、さらにＬＴＥシステムにおける進化型基地局（ｅＮＢ又はｅＮｏｄｅＢ：Ｅｖｏｌｕｔｉｏｎａｌ  Ｎｏｄｅ  Ｂ）であっても良く、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線制御装置であっても良く、又は当該ネットワークデバイスは、中継局、アクセスポイント、車載デバイス、ウェアラブルデバイス及び将来の５Ｇネットワークにおけるコアネットワークデバイス、又は公衆携帯電話網ネットワーク（ＰＬＭＮ：Ｐｕｂｌｉｃ  Ｌａｎｄ  Ｍｏｂｉｌｅ  Ｎｅｔｗｏｒｋ）におけるネットワークデバイスなどであっても良い。
【００５４】
当該無線通信システム１００は、ネットワークデバイス１１０のカバレッジ範囲内に位置する複数の端末デバイス１２０をさらに含む。当該端末デバイス１２０は移動又は固定的なものであっても良い。当該端末デバイス１２０は、アクセス端末、ユーザデバイス（ＵＥ：Ｕｓｅｒ  Ｅｑｕｉｐｍｅｎｔ）、ユーザユニット、ユーザステーション、移動ステーション、移動局、遠隔局、遠隔端末、移動デバイス、ユーザ端末、端末、無線通信デバイス、ユーザエージェント又はユーザ装置と指しても良い。アクセス端末はセルラー電話、無線電話、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレス・ローカル・ループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａｌ  Ｄｉｇｉｔａｌ  Ａｓｓｉｓｔａｎｔ）、無線通信機能を有する携帯デバイス、計算デバイス又は無線変調復調器に接続するその他のデバイス、車載デバイス、ウェアラブルデバイス、および将来の５Ｇネットワークにおける端末デバイス、又は将来進化型ＰＬＭＮおける端末デバイスなどであっても良い。
【００５５】
図１は、一つのネットワークデバイスと６個の端末デバイスを例示的に示しており、任意選択で、当該無線通信システム１００は、複数個のネットワークデバイスを含むことができ、それぞれのネットワークデバイスのカバレッジ範囲内にその他の数の端末デバイスが含まれても良い、本発明の実施例はそれを限定しない。また、当該無線通信システム１００は、モビリティ管理エンティティ（ＭＭＥ：Ｍｏｂｉｌｅ  Ｍａｎａｇｅｍｅｎｔ  Ｅｎｔｉｔｙ）、サービングゲートウェイ（ＳＧＷ：Ｓｅｒｖｉｎｇ  ＧａｔｅＷａｙ）、パケットデータネットワークゲートウェイ（Ｐ−ＧＷ：Ｐａｃｋｅｔ  Ｄａｔａ  Ｎｅｔｗｏｒｋ  Ｇａｔｅｗａｙ）などのその他のネットワークエンティティを含むことも可能であるが、本発明の実施例はこれらに限らない。
【００５６】
具体的に、端末デバイス１２０は、セルラー通信モード又はＤ２Ｄ通信モードで通信することが可能であり、ここで、セルラー通信モードにおいて、端末デバイスは、ネットワークデバイスによってその他の端末デバイスと通信することができ、Ｄ２Ｄ通信モードにおいて、端末デバイスは、Ｄ２Ｄリンクを介して直接にその他の端末デバイスと通信することができる。
【００５７】
図１に示されている複数の端末デバイス１２０に、セルラー端末デバイス、Ｄ２Ｄ端末デバイス、及び中継端末デバイスが含まれており、ここで、セルラー端末デバイスは、セルラー通信技術を採用してネットワークデバイス１１０と通信する。Ｄ２Ｄ端末デバイスは、中継端末デバイスによってネットワークデバイスとの間のデータ伝送を実現し、ここで、中継端末デバイスとＤ２Ｄ端末デバイスとの間にＰＣ５インターフェースを備え、Ｄ２Ｄ通信技術を採用して通信し、ここで、当該Ｄ２Ｄ通信技術は、具体的に、ＬＴＥのサイドリンク（ＳＬ：ＳｉｄｅＬｉｎｋ）技術であっても良く、ＷＬＡＮのＷＩＦＩ、又はブルートゥースなどの技術、又はその他のＤ２Ｄ通信技術であっても良く、本発明の実施例はこれに対して限定しない。中継端末デバイスとネットワークデバイスとの間にＵｕインターフェースを備え、セルラー通信技術を採用して通信する。
【００５８】
従来技術において、中継端末デバイスは、レイヤ３中継方式を採用して中継を行い、データ処理が複雑で、処理遅延が大きい。本発明の実施例において、中継端末デバイスは、下位レイヤ中継方式を採用して中継ネットワークデバイスとＤ２Ｄ端末デバイスとの間のデータを伝送し、ここで、ＬＴＥシステムにおいて、当該ネットワークデバイスの下位レイヤは、具体的にレイヤ１、即ち物理層を指しており、それに対してＤ２Ｄ端末デバイスの下位レイヤは、当該Ｄ２Ｄ端末デバイスと中継端末デバイスとに使用されるＤ２Ｄ通信技術に依存し、例えば、当該Ｄ２Ｄ通信技術がＬＴＥのサイドリンク技術である場合、当該下位レイヤは、具体的に物理層であっても良く、当該Ｄ２Ｄ通信技術がＷＬＡＮ又はその他の通信技術である場合、当該下位レイヤは、具体的にその他の名称であっても良く、本発明の実施例は、これに限定されない。
【００５９】
本発明の実施例において、ＵｕインターフェースとＰＣ５インターフェースとにおけるデータ伝送はいずれも物理層を介して行うことができる。任意選択で、ネットワークデバイス又は遠端端末デバイスは、相手側にデータを送信する必要がある場合、まず、送信待ちデータをＭＡＣ  ＰＤＵ、例えば、ＭＡＣ  ＰＤＵにカプセル化し、そして下位レイヤで当該ＭＡＣ  ＰＤＵに対して処理を行い、下位レイヤデータフレームを得て、中継端末デバイスに当該下位レイヤデータフレームを送信することができる。図２は、各デバイスの中継伝送用のユーザプレーンプロトコルスタックの例を概略的に示しており、ここで、中継端末デバイスの中継伝送用のユーザプレーンプロトコルスタックは、レイヤ１（即ち、ＰＨＹ層）のみを含むことができ、当該遠端端末デバイスとネットワークデバイスとのユーザプレーンプロトコルスタックは、レイヤ１（Ｌ１）、レイヤ２（Ｌ２）、及びレイヤ３（Ｌ３）を含むことができる。当該中継端末デバイスのレイヤ１は、当該遠端端末デバイスのレイヤ１と当該ネットワークデバイスのそれぞれのレイヤ１とのピアレイヤであり、当該遠端端末デバイスのレイヤ２は、当該ネットワークデバイスのレイヤ２とのピアレイヤである。この場合、任意選択で、中継端末デバイスは、受信される下位レイヤデータフレームに対応する遠端端末デバイスを識別せずに、遠端端末デバイスとネットワークデバイスによって、上位レイヤ（例えば、ＭＡＣ層又は更なる上位レイヤ）で受信されるデータフレームに対応する遠端端末デバイスを識別することができるが、本発明の実施例は、これに対して限定しない。
【００６０】
便利上、下記の実施例は、主に当該下位レイヤが、具体的に物理層である例をして説明するが、当業者は、Ｄ２Ｄ端末デバイス（遠端端末デバイスとも称する）と中継端末デバイスとの間で採用されるＤ２Ｄ通信技術がその他の通信技術である場合、当該下位レイヤは、具体的にその他の名称を有することができることを理解すべきであり、本発明の実施例は、これに対して限定しない。
【００６１】
図３は、本発明の実施例に提供される中継伝送方法２００を概略的に示している。当該方法２００は、上記の無線通信システム１００に適用することができるが、本発明の実施例は、これに限定されない。具体的に、当該方法２００は、アップリンクデータの中継伝送に適用することができ、即ち、遠端端末デバイスは、中継端末デバイスを介してネットワークデバイスにアップリンクデータを送信する。この場合、送信側デバイスは、具体的に遠端端末デバイス（Ｄ２Ｄ端末デバイスと称しても良い）であり、受信側デバイスは、具体的にネットワークデバイスである。任意選択で、当該方法２００は、ダウンリンクデータの中継伝送にでも適用することができ、即ち、ネットワークデバイスは、中継端末デバイスを介して遠端端末デバイスにダウンリンクデータを伝送する。この場合、送信側デバイスはネットワークデバイスであり、受信側デバイスは遠端端末デバイスであるが、本発明の実施例は、これに対して限定しない。
【００６２】
Ｓ２１０において、送信側デバイスは、ＭＡＣプロトコルデータユニット（ＰＤＵ：Ｐｒｏｔｏｃｏｌ  Ｄａｔａ  Ｕｎｉｔ）を生成し、当該ＭＡＣ  ＰＤＵが遠端端末デバイスの識別子情報を含む。
【００６３】
当該送信側デバイスは、受信側デバイスにデータを送信する必要があることを確定した時に、上位レイヤでデータに対してカプセル化処理を行い、ＭＡＣ  ＰＤＵを得ることができる。ここで、当該ＭＡＣ  ＰＤＵは、遠端端末デバイスの識別子情報を含むことができる。当該遠端端末デバイスの識別子情報は、当該遠端端末デバイスを識別するために用いられる。
【００６４】
任意選択で、当該遠端端末デバイスの識別子情報は、当該遠端端末デバイスの端末デバイス識別子を含むことが可能であり、当該端末デバイス識別子は、当該遠端端末デバイスを一意的に示すために用いられることができる。ここで、当該端末デバイス識別子は予め定義されるものであっても良い。例えば、当該端末デバイス識別子は、具体的に当該遠端端末デバイスのデバイス識別子又は当該遠端端末デバイスのユーザ識別子等々であっても良い。任意選択で、当該遠端端末デバイスの識別子情報は、当該遠端端末デバイスの特定識別子を含むことが可能であり、当該遠端端末デバイスの特定識別子は、中継伝送において、当該遠端端末デバイスを一意的に示すために用いられる。当該特定識別子は、予め定義されるものであっても良く、ネットワークデバイスによって構成されるものであっても良い。シグナリングのオーバーヘッドを低減するために、当該特定識別子の長さは、端末デバイス識別子の長さより小さくても良い。当該遠端端末デバイスとネットワークデバイスとは、上位レイヤで当該特定識別子を識別し、ここで、上位レイヤは、下位レイヤの上位であるレイヤを指しており、例えば、レイヤ２又はレイヤ３であり、本発明の実施例は、これに対して限定しない。例えば、当該特定識別子はレイヤ２識別子であっても良い。レイヤ２識別子は、レイヤ２で識別子をカプセル化、識別することができ、例えば、ＭＡＣ層、ＲＬＣ層又はＰＤＣＰ層で識別する。任意選択で、当該レイヤ２識別子は、予め定義されるものであっても良く、又はネットワークデバイスが遠端端末デバイスに割り当てるものであっても良く、例えば、当該レイヤ２識別子は、ネットワークデバイスが当該遠端端末デバイスのためにベアラを確立する過程において、当該遠端端末デバイスに割り当てるものであるが、本発明の実施例は、これに限定されない。
【００６５】
当該遠端端末デバイスの識別子情報は、当該ＭＡＣ  ＰＤＵの任意可能な位置にベアリングされることができる。任意選択で、当該遠端端末デバイスの識別子情報は、当該ＭＡＣ  ＰＤＵのＭＡＣ制御要素（ＣＥ：Ｃｏｎｔｒｏｌ  Ｅｌｅｍｅｎｔ）にベアリングされなくても良く、例えば、図４に示すように、当該ＭＡＣ  ＣＥは、現行のＭＡＣ  ＣＥ又は新たなＭＡＣ  ＣＥであっても良いが、本発明の実施例は、これに対して限定しない。
【００６６】
Ｓ２２０において、送信側デバイスは、下位レイヤ（例えば、物理層）で当該ＭＡＣ  ＰＤＵに対して処理を行い、第１の下位レイヤデータフレームを生成する。
【００６７】
当該送信側デバイスは、当該ＭＡＣ  ＰＤＵを下位レイヤに伝送して処理を行い、下位レイヤを介して中継端末デバイスに処理後の当該ＭＡＣ  ＰＤＵを送信することができる。任意選択で、当該中継端末デバイスが、当該第１の下位レイヤデータフレームに中継データが含まれ、転送する必要があることを確定することができるように、当該送信側デバイスは、当該第１の下位レイヤデータフレームを設定することができる。又は、当該中継端末デバイスが当該伝送リソースに基づいて、当該第１の下位レイヤデータフレームに中継データが含まれることを確定することができるように、当該送信側デバイスは、中継伝送用の伝送リソース又はその他の方式を使用し、当該第１の下位レイヤデータフレームを送信することができるが、本発明の実施例は、これに対して限定しない。例えば、ネットワークデバイスが当該中継端末デバイスのために中継伝送用の伝送リソースを設定した場合、当該ネットワークデバイスは、遠端端末デバイスにデータを送信する必要がある時に、当該中継伝送用の伝送リソースを使用して当該中継端末デバイスに当該データを送信することができ、又は、ネットワークデバイスは、当該遠端端末デバイスのために、中継伝送用の伝送リソースを設定した場合、当該遠端端末デバイスがネットワークデバイスにデータ送信する必要がある時に、当該中継伝送用の伝送リソースを使用して当該中継端末デバイスに当該データを送信することができるが、本発明の実施例は、これに限定されない。
【００６８】
Ｓ２３０において、送信側デバイスは、当該中継端末デバイスに当該第１の下位レイヤデータフレームを送信する。
【００６９】
Ｓ２４０において、当該中継端末デバイスは、下位レイヤを介して、当該送信側デバイスにより送信される当該第１の下位レイヤデータフレームを受信した後に、下位レイヤで当該第１の下位レイヤデータフレームを転送する必要があることを確定することができる。
【００７０】
任意選択で、当該第１の下位レイヤデータフレームが、送信側デバイスが中継伝送用の伝送リソースを使用して送信されるものである場合、当該中継端末デバイスは、下位レイヤで当該第１の下位レイヤデータフレームに占用される当該伝送リソースに基づいて、当該第１の下位レイヤデータフレームに中継データが含まれ、転送する必要があることを確定することができる。
【００７１】
任意選択で、当該中継端末デバイスは、中継て特定無線ネットワーク一時識別子（ＲＮＴＩ：Ｒａｄｉｏ  Ｎｅｔｗｏｒｋ  Ｔｅｍｐｏｒａｒｙ  Ｉｄｅｎｔｉｔｙ）を使用してアドレッシングを行うことができる。ここで、当該中継特定ＲＮＴＩは、中継伝送に対応する。任意選択で、当該中継特定ＲＮＴＩは、予め定義されるものであっても良く、又はネットワークデバイスに予め割り当てられるものであっても良く、本発明の実施例は、これに対して限定しない。当該中継端末デバイスが、当該中継特定ＲＮＴＩを使用してアドレッシングすることによって、当該第１の下位レイヤデータフレームをスケジューリングするための物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を受信し、即ち、当該第１の下位レイヤデータフレームをスケジューリングするためのＰＤＣＣＨが当該中継特定ＲＮＴＩを使用してスクランブリングされるものであり、この場合、当該中継端末デバイスは、中継特定ＲＮＴＩに基づいて、当該第１の下位レイヤデータフレームに中継データが含まれ、転送する必要があることを確定することができるが、本発明の実施例は、これに限定されない。
【００７２】
任意選択で、当該中継端末デバイスは、その他の方式によって、受信した当該下位レイヤデータフレームが自身に送信されるものであるか、それとも中継転送する必要があるものであるかを確定することができ、本発明の実施例は、これに対して限定しない。
【００７３】
Ｓ２５０において、当該中継端末デバイスは、下位レイヤにおいて、当該第１の下位レイヤデータフレームに対して転送処理を行う。
【００７４】
当該中継端末デバイスが、当該第１の下位レイヤデータフレームに中継データが含まれ、中継転送する必要があることを確定した場合、任意選択で、当該中継端末デバイスは、当該第１の下位レイヤデータフレームに対して復号化処理を行わず、下位レイヤを介して当該第１の下位レイヤデータフレームを直接に送信することができる。又は、当該中継端末デバイスは、下位レイヤで当該第１の下位レイヤデータフレームに対して復号化処理を行い、当該第１の下位レイヤデータフレームに含まれるデータを得て、下位レイヤを介して当該第１の下位レイヤデータフレームに含まれるデータを送信することができる。具体的に、当該中継端末デバイスは、下位レイヤで当該復号化処理で得られるデータに対して符号化処理を行い、第２の下位レイヤデータフレームを得て、下位レイヤを介して、当該第２の下位レイヤデータフレームを送信することができるが、本発明の実施例は、これに限定されない。
【００７５】
任意選択で、当該受信側デバイスが遠端端末デバイスである場合、当該中継端末デバイスは、当該第１の下位レイヤデータフレームに含まれるデータに対応する遠端端末デバイスを識別せず、任意選択で、当該中継端末デバイスは、ブロードキャストの方式で当該第１の下位レイヤデータフレームに含まれるデータ（具体的に、上記の第１の下位レイヤデータフレーム又は第２の下位レイヤデータフレームであっても良い）を送信することができ、例えば、当該中継端末デバイスは、中継伝送用の伝送リソースによって、当該第１の下位レイヤデータフレームに含まれるデータを送信することができるが、本発明の実施例は、これに限定されない。
【００７６】
任意選択で、当該受信側デバイスがネットワークデバイスである場合、当該中継端末デバイスは、ネットワークデバイスに当該第１の下位レイヤデータフレームに含まれるデータを送信することができる。ここで、任意選択で、当該中継端末デバイスは、中継伝送用の伝送リソースによて、当該ネットワークデバイスに当該第１の下位レイヤデータフレーム又は第２の下位レイヤデータフレームを送信することができるが、本発明の実施例は、これに限定されない。
【００７７】
任意選択で、ネットワークデバイスに当該第１の下位レイヤデータフレーム又は当該第２の下位レイヤデータフレームを送信する前に、アップリンク伝送リソースを要求するために、当該中継端末デバイスは、アップリンク許可要求フローを行うこともでき、当該ネットワークデバイスが割り当てるアップリンク伝送リソースを使用して、当該ネットワークデバイスに当該第１の下位レイヤデータフレーム又は当該第２の下位レイヤデータフレームを送信することができる。ここで、任意選択で、当該中継端末デバイスは、当該第１の下位レイヤデータフレームに含まれるデータ量を確定することができ、例えば、当該第１の下位レイヤデータフレームに含まれるデータ量を取得するために、当該中継端末デバイスは、下位レイヤで当該第１の下位レイヤデータフレームに対して復号化処理を行うことができ、又は、当該第１の下位レイヤデータフレームに、当該第１の下位レイヤデータフレームに含まれるデータ量を示すための指示情報を含ませることができ、本発明の実施例において、当該中継端末デバイスが当該第１の下位レイヤデータフレームに含まれるデータ量を確定する方式に対して限定しない。
【００７８】
任意選択で、当該中継端末デバイスは、当該第１の下位レイヤデータフレームに含まれるデータ量に基づいて、アップリンク許可要求を行うことができる。選択可能な実施例として、物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）リソースは、予め設定されるデータ量又は予め設定されるデータ量区間と対応関係を有することが可能であり、ここで、当該対応関係は、予め定義されるものであっても良く、又はネットワークデバイスが予め設定されるものであっても良く、例えば、ネットワークデバイスは、ブロードキャストシグナリング又は専用シグナリングによって、当該対応関係を予め設定することができ、本発明の実施例は、これに対して限定しない。この場合、当該中継端末デバイスは、当該第１の下位レイヤデータフレームに含まれるデータ量、及び当該ＰＵＣＣＨリソースと予め設定されるデータ量又はデータ量区間との対応関係に基づいて、ターゲットＰＵＣＣＨリソースを確定することができ、当該ターゲットＰＵＣＣＨリソースを使用して、当該ネットワークデバイスにスケジューリング要求を送信するが、本発明の実施例は、これに限定されない。
【００７９】
この場合、当該ネットワークデバイスは、当該スケジューリング要求を受信した後に、当該スケジューリング要求に占用されるＰＵＣＣＨリソースに基づいて、当該スケジューリング要求に対応するデータ量又はデータ量区間を確定し、当該対応するデータ量又はデータ量区間に基づいて、アップリンク伝送リソースを割り当てることができるが、本発明の実施例は、これに限定されない。
【００８０】
別の選択可能な実施例として、当該中継端末デバイスは、ネットワークデバイスにプリアンブルコードを送信することによって、アップリンク許可要求を行うことができる。任意選択で、プリアンブルコードが予め設定されるデータ量又は予め設定されるデータ量区間と対応関係を存在することが可能であり、ここで、当該対応関係は、予め定義されるものであっても良く、又はネットワークデバイスが予め設定されるものであっても良く、例えば、ネットワークデバイスは、ブロードキャストシグナリング又は専用シグナリングによって、当該対応関係を予め設定することができ、本発明の実施例は、これに対して限定しない。この場合、当該中継端末デバイスは、当該第１の下位レイヤデータフレームに含まれるデータ量、及び当該プリアンブルコードと予め設定されるデータ量又はデータ量区間との対応関係に基づいて、ターゲットプリアンブルコードを確定し、当該ネットワークデバイスに当該ターゲットプリアンブルコードを送信することができるが、本発明の実施例は、これに限定されない。
【００８１】
この場合、当該ネットワークデバイスは、当該プリアンブルコードを受信した後に、当該プリアンブルコードに対応するデータ量又はデータ量区間を確定し、当該対応するデータ量又はデータ量区間に基づいて、アップリンク伝送リソースを割り当てることができるが、本発明の実施例は、これに限定されない。
【００８２】
任意選択で、当該中継端末デバイスは、その他の方式によって、アップリンク許可要求を行うことができ、本発明の実施例は、これに対して限定しない。
【００８３】
Ｓ２６０において、受信側デバイスは、当該中継端末デバイスにより送信される第１の下位レイヤデータフレーム又は第２の下位レイヤデータフレームを受信した場合、上位レイヤにおいて、当該第１の下位レイヤデータフレーム又は第２の下位レイヤデータフレームに含まれる遠端端末デバイスの識別子情報に基づいて、当該第１の下位レイヤデータフレーム又は当該第２の下位レイヤデータフレームに対応する遠端端末デバイスを確定することができる。
【００８４】
任意選択で、当該中継端末デバイスが送信する第１の下位レイヤデータフレーム又は当該第２の下位レイヤデータフレームを受信した後に、遠端端末デバイスは、上位レイヤ（例えば、レイヤ２）で当該データフレームに含まれる遠端端末デバイスの識別子情報を識別し、当該データフレームが自身に送信されるものであるか否かを確定することができ、当該データフレームが自身に送信されるものであることを確定した場合、当該データフレームに対して復号化処理を行うことができ、そうでない場合、当該データフレームを廃棄することができるが、本発明の実施例は、これに対して限定しない。
【００８５】
任意選択で、ネットワークデバイスが、中継端末デバイスにより送信される当該第１の下位レイヤデータフレーム又は当該第２の下位レイヤデータフレームを受信した場合、上位レイヤ（例えば、レイヤ２）で当該データフレームに含まれる遠端端末デバイスの識別子情報を識別することによって、当該データフレームに対応する遠端端末デバイスを確定することができ、当該対応する遠端端末デバイスに基づいて、コアネットワークデバイスに当該データフレームに含まれるデータを送信し、例えば、当該ネットワークデバイスとコアネットワークデバイス（例えば、Ｐ−ＧＷ）との間で、当該遠端端末デバイスのデータ伝送トンネリング（例えば、ＧＰＲＳトンネリングプロトコル（ＧＴＰ：ＧＰＲＳ  Ｔｕｎｎｅｌｉｎｇ  Ｐｒｏｔｏｃｏｌ）トンネリング）を確立した場合、当該ネットワークデバイスは、当該遠端端末デバイスに対応するデータ伝送トンネリングによって、コアネットワークデバイスに当該データフレームに含まれるデータを送信することができるが、本発明の実施例は、これに限定されない。
【００８６】
任意選択で、中継伝送の前に、当該ネットワークデバイスは、当該遠端端末デバイスのためにベアラを確立することができる。例えば、当該ネットワークデバイスとＰ−ＧＷと間では、当該遠端端末デバイスのデータ伝送トンネリング（例えば、ＧＴＰトンネリング）を確立することができ、当該ネットワークデバイスと当該中継端末デバイスとの間で、当該遠端端末デバイスの無線ベアラを確立することができるが、本発明の実施例は、これに限定されない。
【００８７】
任意選択で、当該中継端末デバイスは、当該遠端端末デバイスの接続確立要求を受信することができ、当該接続確立要求は、当該中継端末デバイスと当該遠端端末デバイスとのＤ２Ｄ通信リンクを確立するように要求するために用いられる。任意選択で、当該接続確立要求は、具体的に、ダイレクト通信要求であっても良く、当該中継端末デバイスとのＰＣ５接続を確立するように要求するために用いられる。
【００８８】
当該中継端末デバイスは、当該接続確立要求に基づいて、コアネットワークデバイスにベアラ確立要求を送信することができ、当該ベアラ確立要求は、当該遠端端末デバイスの端末デバイス識別子を含むことができる。任意選択で、当該Ｐ−ＧＷとネットワークデバイスとの間で当該遠端端末デバイスのデータ伝送トンネリング（例えば、ＧＴＰトンネリング）を確立することができるように、当該コアネットワークデバイスは、ＭＭＥであっても良く、当該ＭＭＥは、Ｐ−ＧＷに当該ベアラ確立要求に含まれる当該遠端端末デバイスの端末デバイス識別子を送信することができ、当該ネットワークデバイスは、当該遠端端末デバイスの無線ベアラを確立することができ、ここで、当該無線ベアラは、当該ネットワークデバイスと当該中継端末デバイスとのセルラーデータ伝送トンネリング、及び当該中継端末デバイスと当該遠端端末デバイスとのＤ２Ｄデータ伝送トンネリングを含むことができる。
【００８９】
当該中継端末デバイスは、当該ネットワークデバイスにより送信されるベアラ確立応答を受信することができ、当該ベアラ確立応答は、当該ネットワークデバイスが当該遠端端末デバイスのために確立する無線ベアラの構成情報を含み、ここで、任意選択で、当該無線ベアラの構成情報は、物理層構成情報を含むことができる。任意選択で、当該無線ベアラの構成情報は、ＭＡＣ層構成情報、ＰＤＣＰ層構成情報、及びＲＬＣ層構成情報の少なくとも一つをさらに含むことができる。任意選択で、当該無線ベアラの構成情報は、当該ネットワークデバイスが当該遠端端末デバイスに割り当てるレイヤ２識別子を含むことができるが、本発明の実施例は、これに限定されない。
【００９０】
任意選択で、当該中継端末デバイスは、当該ベアラ確立応答に基づいて、当該遠端端末デバイスに接続確立応答を送信することができ、当該接続確立応答は、当該物理層構成情報を含み、又は当該ＭＡＣ層構成情報、ＰＤＣＰ層構成情報、及びＲＬＣ層構成情報のうちの少なくとも一つをさらに含んでも良く、又は当該遠端端末デバイスのレイヤ２識別子を含んでも良いが、本発明の実施例は、これに限定されない。
【００９１】
任意選択で、中継伝送の前に、当該ネットワークデバイスは、当該遠端端末デバイスのためにベアラを確立することができる。例えば、当該ネットワークデバイスとＰ−ＧＷとの間で当該遠端端末デバイスのデータ伝送トンネリング（例えば、ＧＴＰトンネリング）を確立することができ、当該ネットワークデバイスと当該中継端末デバイスとの間で当該遠端端末デバイスの無線ベアラを確立することができるが、本発明の実施例は、これに限定されない。
【００９２】
任意選択で、当該中継端末デバイスは、当該遠端端末デバイスの接続確立要求を受信することができ、当該接続確立要求は、当該中継端末デバイスと当該遠端端末デバイスとの間のＤ２Ｄ通信リンクを確立すために用いられる。任意選択で、当該接続確立要求は、具体的に、ダイレクト通信要求であっても良く、当該中継端末デバイスとのＰＣ５接続を確立するように要求するために用いられる。
【００９３】
当該中継端末デバイスは、当該接続確立要求に基づいて、コアネットワークデバイスにベアラ確立要求を送信することができ、当該ベアラ確立要求は、当該遠端端末デバイスの端末デバイス識別子を含むことができる。任意選択で、当該コアネットワークデバイスはＭＭＥであっても良く、当該Ｐ−ＧＷとネットワークデバイスとの間で当該遠端端末デバイスのデータ伝送トンネリング（例えば、ＧＴＰトンネリング）を確立することができるように、当該ＭＭＥは、Ｐ−ＧＷに当該ベアラ確立要求に含まれる当該遠端端末デバイスの端末デバイス識別子を送信することができ、当該ネットワークデバイスは、当該遠端端末デバイスの無線ベアラを確立することができ、ここで、当該無線ベアラは、当該ネットワークデバイスと当該中継端末デバイスとの間のセルラーデータ伝送トンネリング、及び当該中継端末デバイスと当該遠端端末デバイスとの間のＤ２Ｄデータ伝送トンネリングを含むことができる。
【００９４】
当該中継端末デバイスは、当該ネットワークデバイスより送信されるベアラ確立応答を受信することができ、当該ベアラ確立応答は、当該ネットワークデバイスが当該遠端端末デバイスのために確立する無線ベアラの構成情報を含み、ここで、任意選択で、当該無線ベアラの構成情報は、物理層構成情報を含むことができる。ここで、任意選択で、当該物理層構成情報は、中継特定ＲＮＴＩ及び／又は中継伝送用の物理リソースを含むことができ、ここで、当該中継伝送用の物理リソースは、中継端末デバイスとネットワークデバイスとの間で中継伝送するための物理リソース、及び／又は中継端末デバイスと遠端端末デバイスとの間で中継伝送するための物理リソースを含むことができる。任意選択で、当該物理層構成情報は、プリアンブルコードとデータ量区間との対応関係を示すための指示情報、及び／又はＰＵＣＣＨリソースとデータ量区間との対応関係を示すための指示情報を含むことができるが、本発明の実施例は、これに限定されない。
【００９５】
任意選択で、当該無線ベアラの構成情報は、レイヤ２構成情報を含むことができ、当該レイヤ２構成情報は、ＭＡＣ層構成情報、ＲＬＣ層構成情報、及びＰＤＣＰ層構成情報のうちの少なくとも一つを含むことができる。任意選択で、当該レイヤ２構成情報は、当該ネットワークデバイスが当該遠端端末デバイスのために割り当てるレイヤ２識別子を含むことができるが、本発明の実施例は、これに限定されない。
【００９６】
任意選択で、当該中継端末デバイスは、当該ベアラ確立応答に基づいて、当該遠端端末デバイスに接続確立応答を送信することができ、当該接続確立応答は、当該ＭＡＣ層構成情報、ＲＬＣ層構成情報、及びＰＤＣＰ層構成情報のうちの少なくとも一つを含むことができる。任意選択で、当該接続確立応答が上記のレイヤ２の構成情報を含まない場合、当該遠端端末デバイスは、受信される当該中継端末デバイスのＤ２Ｄブロードキャストメッセージに基づいて、レイヤ２に対して設定することができ、任意選択で、当該接続確立応答が上記のレイヤ２の構成情報を含む場合、当該遠端端末デバイスは、当該接続確立応答に含まれるＭＡＣ層構成情報、ＲＬＣ層構成情報、及びＰＤＣＰ層構成情報のうちの少なくとも一つに基づいて、レイヤ２に対して設定することができるが、本発明の実施例は、これに限定されない。
【００９７】
そのため、本発明の実施例による中継伝送方法は、中継端末デバイスによって下位レイヤ中継の方式を採用して遠端端末デバイスとネットワークデバイスとの間のデータを中継し、ここで、遠端端末デバイス又はネットワークデバイスは、中継端末デバイスに下位レイヤデータフレームを送信し、当該中継端末デバイスは、下位レイヤにおいて遠端端末デバイスを識別せずに、受信されるデータフレームに中継データが含まれることを確定した場合、下位レイヤによって当該データフレームに対して中継転送処理を行い、従来技術における中継端末デバイスがレイヤ３を採用して中継を行う方式と比べて、中継端末デバイスの処理複雑度、中継データの伝送遅延を低減し、システム全体の性能を向上させることができる。
【００９８】
下記において、具体的な例を結合して本発明の実施例を詳しく説明する。なお、これらの例は、当業者が本発明の実施例をより良く理解させるためのものであり、本発明の実施例の範囲を限定するものではない。
【００９９】
便利上、下記の例において、セルラーネットワークが遠端端末デバイスのために、ＰＤＮ接続とベアラを既に確立したと仮定し、遠端端末デバイスが具体的に遠端ＵＥであり、中継端末デバイスが具体的に中継ＵＥであり、ネットワークデバイスが具体的にｅＮＢであり、ＰＣ５インターフェースに対応する下位レイヤが、具体的に物理層であると仮定する。なお、ＰＣ５インターフェースが異なるＬＴＥサイドリンク技術のその他のＤ２Ｄ通信技術を使用する場合、当該下位レイヤは具体的に、当該その他のＤ２Ｄ通信技術に対応するレイヤ１であっても良いが、本発明の実施例は、これに限定されない。
【０１００】
図５は、本発明の別の実施例に提供される中継伝送方法３００を示している。当該方法３００は、ダウンリンクデータの中継伝送に適用することができる。
【０１０１】
Ｓ３１０において、Ｐ−ＧＷは、遠端端末デバイスに送信されるデータを受信した時に、ベアラ確立プロセスで割り当てるＳ１−ＵインターフェースのＧＴＰトンネリングを介してデータをｅＮＢに送信する。
【０１０２】
Ｓ３２０において、ｅＮＢは、ＧＴＰトンネリングからの遠端端末デバイスのデータを受信した後に、データをＵｕインターフェースのＭＡＣ  ＰＤＵとしてカプセル化し、ここで、当該ＵｕインターフェースのＭＡＣ  ＰＤＵに遠端端末デバイスの識別子情報、例えば、レイヤ２識別子又は端末デバイス識別子が含まれる。
【０１０３】
Ｓ３３０において、ｅＮＢは、中継特定ＲＮＴＩでアドレッシングするＰＤＣＣＨによって、ダウンリンクデータ伝送をスケジューリングし、物理層を介して、物理ダウンリンクデータチャネル（ＰＤＳＣＨ：Ｐｈｙｓｉｃａｌ  Ｄｏｗｎｌｉｎｋ  Ｓｈａｒｅｄ  Ｃｈａｎｎｅｌ）において、中継端末デバイスに当該ＵｕインターフェースのＭＡＣ  ＰＤＵを伝送することができる。
【０１０４】
この場合、任意選択で、当該ＰＤＣＣＨが中継データ伝送をスケジューリングするためのものであることを示すために、当該ｅＮＢは、中継特定ＲＮＴＩによって当該ＰＤＣＣＨに対してスクランブリングすることができる。それに応じて、当該中継端末デバイスは、当該中継特定ＲＮＴＩに基づいて、アドレッシングすることができるが、本発明の実施例は、これに限定されない。
【０１０５】
Ｓ３４０において、中継端末デバイスは、物理層を介してＵｕインターフェースのＭＡＣ  ＰＤＵを受信した後に、物理層において受信される当該ＭＡＣ  ＰＤＵに含まれる中継データを確定し、物理層を介してＰＣ５インターフェースのＭＡＣ  ＰＤＵを送信することができる。
【０１０６】
この場合、当該中継端末デバイスは、受信される当該ＭＡＣ  ＰＤＵに対応する遠端端末デバイスを識別しなくても良い。任意選択で、当該中継端末デバイスは、受信されるＭＡＣ  ＰＤＵに対して復号化処理を行わなくても良く、この場合、当該ＵｕインターフェースのＭＡＣ  ＰＤＵは、当該ＰＣ５インターフェースのＭＡＣ  ＰＤＵと同じであっても良い。又は、当該中継端末デバイスは、物理層で受信されるＵｕインターフェースのＭＡＣ  ＰＤＵに対して復号化と符号化処理を行い、ＰＣ５インターフェースのＭＡＣ  ＰＤＵを得ることができるが、本発明の実施例は、これに限定されない。
【０１０７】
Ｓ３５０において、中継端末デバイスは、中継伝送用の特定時間周波数リソースにおいて、当該ＰＣ５インターフェースのＭＡＣ  ＰＤＵを送信することができる。
【０１０８】
ここで、当該中継端末デバイスは、中継伝送用の時間周波数リソースにおいて、当該ＰＣ５インターフェースのＭＡＣ  ＰＤＵをブロードキャストすることができる。
【０１０９】
Ｓ３６０において、遠端端末デバイスは、物理層を介してＰＣ５インターフェースのＭＡＣ  ＰＤＵを受信した後に、上位レイヤ（例えば、レイヤ２）において、当該ＰＣ５インターフェースのＭＡＣ  ＰＤＵに含まれる遠端端末デバイスの識別子情報に対して解析処理を行い、当該ＭＡＣ  ＰＤＵが自身に送信されるものであるか否かを確定することができる。任意選択で、当該遠端端末デバイスは、受信される当該ＭＡＣ  ＰＤＵが自身に送信されるものであることを確定した場合、当該ＭＡＣ  ＰＤＵに対して復号化等のさらなる処理を行うことができる。当該遠端端末デバイスは、受信される当該ＭＡＣ  ＰＤＵが自身に送信されるものではないことを確定した場合、当該ＭＡＣ  ＰＤＵを廃棄しても良いが、本発明の実施例は、これに限定されない。
【０１１０】
図６は、本発明の別の実施例に提供される中継伝送方法４００を示している。当該方法４００は、アップリンクデータの中継伝送に適用することができる。
【０１１１】
Ｓ４１０において、遠端端末デバイスにセルラーネットワークへの送信待ちのデータが存在する場合、遠端端末デバイスは、データをＭＡＣ  ＰＤＵとしてカプセル化し、ここで、当該ＭＡＣ  ＰＤＵが当該遠端端末デバイスの識別子情報を含む。
【０１１２】
Ｓ４２０において、遠端端末デバイスは、ＰＣ５インターフェースを介して、物理層の中継伝送用の時間周波数リソースにおいて、当該ＭＡＣ  ＰＤＵを送信する。
【０１１３】
Ｓ４３０において、当該ＭＡＣ  ＰＤＵに含まれるデータ量を確定するために、中継端末デバイスは、物理層を介して、遠端端末デバイスからのＭＡＣ  ＰＤＵを受信した後に、物理層において、受信される当該ＭＡＣ  ＰＤＵに対して復号化処理を行うことができる。
【０１１４】
この場合、当該中継端末デバイスは、受信される当該ＭＡＣ  ＰＤＵに対応する遠端端末デバイスを識別しなくても良く、物理層のみにおいて、当該ＭＡＣ  ＰＤＵに含まれるデータ量を識別することができる。
【０１１５】
任意選択で、Ｓ４４０において、当該中継端末デバイスは、予め設定されるデータ量区間とＰＵＣＣＨリソースとの対応関係に基づいて、当該ＭＡＣ  ＰＤＵに含まれるデータ量に対応するＰＵＣＣＨリソースを確定し、当該対応するＰＵＣＣＨリソースを使用してｅＮＢにスケジューリング要求を送信する。
【０１１６】
Ｓ４５０において、ｅＮＢは、当該中継端末デバイスにより送信されるスケジューリング要求を受信した後に、当該スケジューリング要求に占用されるＰＵＣＣＨリソースに基づいて、当該中継端末デバイスの送信待ちのデータ量区間を確定し、当該データ量区間に基づいて、ＰＤＣＣＨによって当該中継端末デバイスにアップリンク伝送リソースを割り当てることができる。
【０１１７】
Ｓ４６０において、中継端末デバイスは、当該ｅＮＢにより送信されるＰＤＣＣＨを受信した後に、物理層のｅＮＢに割り当てるアップリンク伝送リソースによって、ＵｕインターフェースのＭＡＣ  ＰＤＵを送信することができる。
【０１１８】
Ｓ４７０において、当該ＭＡＣ  ＰＤＵに対応する遠端端末デバイスを識別するために、ｅＮＢは、物理層を介して中継端末デバイスにより送信されるＭＡＣ  ＰＤＵを受信した後に、上位レイヤ（例えば、レイヤ２）において、ＵｕインターフェースのＭＡＣ  ＰＤＵを解析することができる。
【０１１９】
Ｓ４８０において、ｅＮＢは、Ｓ１インターフェースを介して、当該ＭＡＣ  ＰＤＵに含まれるデータを、遠端端末デバイスに対応するＧＴＰトンネリングにおいてＰ−ＧＷに伝送することができる。
【０１２０】
なお、図５と図６の例は、当業者が本発明の実施例をより良く理解させるためのものであり、本発明の実施例の範囲を限定するものではない。当業者は、明らかに、図５と図６の例に基づいて、各種の等価的な改修及び変更を行うことができ、このような改修又は変更も本発明の実施例の範囲内である。
【０１２１】
本発明の各実施例において、上記の各過程の番号は実施の前後順序を意味せず、各過程の実施順序は、その機能と自身のロジックによって確定されるべきであり、本発明の実施例の実施過程を制限するものになるわけではないことを理解すべきである。
【０１２２】
上記において、図１〜図６を結合して、本発明の実施例による中継伝送方法を詳しく説明しており、下記において、図７〜図１２を結合して、本発明の実施例による中継伝送装置を詳しく説明する。
【０１２３】
図７は、本発明の実施例に提供される中継伝送装置５００を概略的に示している。当該装置５００は、受信ユニット５１０、及び処理ユニット５２０を含む。
【０１２４】
受信ユニット５１０は、送信側デバイスが受信側デバイスに送信する第１の下位レイヤデータフレームを受信するように構成され、ここで、当該第１の下位レイヤデータフレームが、当該送信側デバイスが下位レイヤにおいて、遠端端末デバイス識別子情報を含むメディアアクセス制御（ＭＡＣ）プロトコルデータユニット（ＰＤＵ）に対して処理して得られるものである。
【０１２５】
処理ユニット５２０は、下位レイヤにおいて、当該受信ユニット５１０で受信される当該第１の下位レイヤデータフレームを転送する必要があることを確定し、しかも下位レイヤにおいて、当該第１の下位レイヤデータフレームに対して転送処理を行うように構成される。
【０１２６】
ここで、当該送信側デバイスが当該遠端端末デバイスであり、且つ当該受信側デバイスがネットワークデバイスであり、又は当該送信側デバイスがネットワークデバイスであり、且つ当該受信側デバイスが当該遠端端末デバイスである。
【０１２７】
任意選択で、当該送信側デバイスがネットワークデバイスである場合、当該処理ユニット５２０は、当該受信ユニット５１０で、送信側デバイスが受信側デバイスに送信する第１の下位レイヤデータフレームを受信する前に、中継特定無線ネットワーク一時識別子（ＲＮＴＩ）によってアドレッシングするようにさらに構成される。この場合、当該処理ユニット５２０は、具体的に、当該第１の下位レイヤデータフレームが、当該中継端末デバイスが当該アドレッシングによって受信されるものである場合、当該中継端末デバイスは、当該第１の下位レイヤデータフレームを転送する必要があることを確定するように構成される。
【０１２８】
任意選択で、当該第１の下位レイヤデータフレームは、当該送信側デバイスが中継伝送用の伝送リソースを使用して送信されるものである。この場合、当該処理ユニット５２０は、具体的に、当該第１の下位レイヤデータフレームに占用される当該伝送リソースに基づいて、当該第１の下位レイヤデータフレームを転送する必要があることを確定するように構成される。
【０１２９】
任意選択で、遠端端末デバイスの識別子情報は、当該遠端端末デバイスのレイヤ２識別子又は当該遠端端末デバイスの端末デバイス識別子を含む。
【０１３０】
任意選択で、当該ネットワークデバイスの下位レイヤは、具体的に物理層であり、当該遠端端末デバイスの下位レイヤは、当該遠端端末デバイス及び当該中継端末デバイスとの間で採用されるＤ２Ｄ通信技術と対応する。
【０１３１】
任意選択で、当該遠端端末デバイスの識別子情報は、当該ＭＡＣ  ＰＤＵのＭＡＣ制御要素フィールドにベアリングされる。
【０１３２】
任意選択で、当該送信側デバイスが当該遠端端末デバイスであり、且つ当該受信側デバイスが当該ネットワークデバイスである場合、当該処理ユニット５２０は、下位レイヤにおいて当該第１の下位レイヤデータフレームに対して転送処理を行う前に、下位レイヤにおいて、物理アップリンク制御チャネル（ＰＵＣＣＨ）リソースとデータ量又はデータ量区間との対応関係に基づいて、当該第１の下位レイヤデータフレームに含まれるデータ量に対応する物理アップリンク制御チャネル（ＰＵＣＣＨ）リソースを確定するようにさらに構成され、それに応じて、当該装置５００は、第１の送信ユニットをさらに含み、当該処理ユニット５２０で確定された当該対応するＰＵＣＣＨリソースを使用して、当該ネットワークデバイスにスケジューリング要求を送信するように構成される。
【０１３３】
任意選択で、当該送信側デバイスが当該遠端端末デバイスであり、且つ当該受信側デバイスが当該ネットワークデバイスである場合、当該処理ユニット５２０は、下位レイヤにおいて当該第１の下位レイヤデータフレームに対して転送処理を行う前に、下位レイヤにおいて、プリアンブルコードとデータ量又はデータ量区間との対応関係に基づいて、当該第１の下位レイヤデータフレームに含まれるデータ量に対応するプリアンブルコードを確定するようにさらに構成され、それに応じて、当該装置５００は、第１の送信ユニットをさらに含み、当該ネットワークデバイスに当該対応するプリアンブルコードを送信するように構成され、当該対応するプリアンブルコードが、当該ネットワークデバイスが当該中継端末デバイスにアップリンク伝送リソースを割り当てるために用いられる。
【０１３４】
任意選択で、当該処理ユニット５２０は、具体的に、当該第１の下位レイヤデータフレームに対して復号化処理を行い、当該第１の下位レイヤデータフレームに含まれるデータを取得し、しかも当該データに対して符号化処理を行い、第２の下位レイヤデータフレームを得るように構成され、それに応じて、当該装置５００は第２の送信ユニットをさらに含み、当該処理ユニット５２０で得られる当該第２の下位レイヤデータフレームを送信するように構成される。
【０１３５】
任意選択で、当該装置５００は第２の送信ユニットをさらに含み、ここで、当該処理ユニット５２０は、具体的に、当該第２の送信ユニットによって、下位レイヤにおいて当該第１の下位レイヤデータフレームを直接に送信するように構成される。
【０１３６】
選択可能な例において、装置５００は、具体的に、上記の実施例における中継端末デバイスであっても良く、装置５００は、上記の方法実施例内の中継端末デバイスに対応する各フロー及び／又はステップを実施するように構成されることができ、重複を避けるために、ここで省略する。
【０１３７】
図８は、本発明の実施例に提供される別の一つの中継伝送装置６００を概略的に示している。ここで、当該装置６００は、具体的に当該遠端端末デバイスであり、又は当該送信側デバイスはネットワークデバイスである。図８に示すように、当該装置６００は、処理ユニット６１０、及び送信ユニット６２０を含む。
【０１３８】
処理ユニット６１０は、メディアアクセス制御（ＭＡＣ）プロトコルデータユニット（ＰＤＵ）を生成するように構成され、ここで、当該ＭＡＣ  ＰＤＵが遠端端末デバイスの識別子情報を含む。
【０１３９】
送信ユニット６２０は、中継端末デバイスに、下位レイヤで当該ＭＡＣ  ＰＤＵに対して処理して得られる第１の下位レイヤデータフレームを送信するように構成される。
【０１４０】
任意選択で、当該装置６００がネットワークデバイスである場合、当該送信ユニット６２０は、中継端末デバイスに当該第１の下位レイヤデータフレームを送信する前に、当該中継端末デバイスにＰＤＣＣＨを送信するように構成され、ここで、当該ＰＤＣＣＨが当該第１の下位レイヤデータフレームをスケジューリングするために用いられ、当該ＰＤＣＣＨが、中継特定無線ネットワーク一時識別子（ＲＮＴＩ）を使用してスクランブリングされるものである。
【０１４１】
任意選択で、当該送信ユニット６２０は、具体的に、中継伝送用の伝送リソースを使用して、中継端末デバイスに当該第１の下位レイヤデータフレームを送信するように構成される。
【０１４２】
任意選択で、当該遠端端末デバイスの識別子情報は、当該遠端端末デバイスのレイヤ２識別子又は当該遠端端末デバイスの端末デバイス識別子を含む。
【０１４３】
任意選択で、当該遠端端末デバイスの識別子情報は、当該ＭＡＣ  ＰＤＵのＭＡＣ制御要素フィールドにベアリングされる。
【０１４４】
選択可能な例において、装置６００は、具体的に、上記の実施例における送信側デバイスであっても良く、装置６００は、上記の方法実施例内の送信側デバイスに対応する各フロー及び／又はステップを実施するように構成されることができ、重複を避けるために、ここで省略する。
【０１４５】
図９は、本発明の実施例に提供される別の一つの中継伝送装置７００を示している。ここで、当該装置７００は、具体的に、ネットワークデバイスであり、又は当該受信側デバイスは当該遠端端末デバイスである。図９に示すように、当該装置７００は、受信ユニット７１０、及び処理ユニット７２０を含む。
【０１４６】
受信ユニット７１０は、中継端末デバイスにより送信される第２の下位レイヤデータフレームを受信するように構成され、ここで、当該第２の下位レイヤデータフレームは、下位レイヤにおいて、遠端端末デバイス識別子情報を含むメディアアクセス制御（ＭＡＣ）プロトコルデータユニット（ＰＤＵ）に対して処理をして得られるものである。
【０１４７】
処理ユニット７２０は、上位レイヤにおいて、当該受信ユニット７１０で受信される当該第２の下位レイヤデータフレームに含まれる当該遠端端末デバイスの識別子情報に基づいて、当該第２の下位レイヤデータフレームが当該遠端端末デバイスに対応することを確定するように構成される。
【０１４８】
任意選択で、当該受信ユニット７１０は、具体的に、中継端末デバイスが中継伝送用の伝送リソースを使用して送信される第２の下位レイヤデータフレームを受信するように構成される。
【０１４９】
それに応じて、当該処理ユニット７２０は、具体的に、当該第２の下位レイヤデータフレームに占用される伝送リソースに基づいて、当該第２の下位レイヤデータフレームが当該中継端末デバイスにより転送されるものであることを確定するように構成される。
【０１５０】
任意選択で、当該装置７００が当該ネットワークデバイスである場合、当該処理ユニット７２０は、当該遠端端末デバイスに対応するデータ伝送トンネリングを確定するようにさらに構成される。この場合、図９に示すように、当該装置７００は、送信ユニット７３０をさらに含み、当該処理ユニット７２０で確定された当該対応するデータ伝送トンネリングを介して、コアネットワークデバイスに、当該第２の下位レイヤデータフレームに含まれるデータを送信するように構成される。
【０１５１】
任意選択で、当該遠端端末デバイスの識別子情報は、当該遠端端末デバイスのレイヤ２識別子又は当該遠端端末デバイスの端末デバイス識別子を含む。
【０１５２】
任意選択で、当該遠端端末デバイスの識別子情報は、当該ＭＡＣ  ＰＤＵのＭＡＣ制御要素フィールドにベアリングされる。
【０１５３】
任意選択で、当該装置７００がネットワークデバイスである場合、当該受信ユニット７１０は、中継端末デバイスにより送信される第２の下位レイヤデータフレームを受信する前に、当該中継端末デバイスにより送信されるスケジューリング要求を受信するようにさらに構成される。
【０１５４】
それに応じて、当該処理ユニット７２０は、物理アップリンク制御チャネル（ＰＵＣＣＨ）リソースとデータ量又はデータ量区間との対応関係に基づいて、当該受信ユニット７１０で受信される当該スケジューリング要求が占用する物理アップリンク制御チャネル（ＰＵＣＣＨ）リソースに対応するデータ量又はデータ量区間を確定し、当該対応するデータ量又はデータ量区間に基づいて、当該中継端末デバイスにアップリンク伝送リソースを割り当てるようにさらに構成される。
【０１５５】
任意選択で、当該装置７００がネットワークデバイスである場合、当該受信ユニット７１０は、中継端末デバイスにより送信される第２の下位レイヤデータフレームを受信する前に、当該中継端末デバイスにより送信されるプリアンブルコードを受信するようにさらに構成される。
【０１５６】
それに応じて、当該処理ユニット７２０は、プリアンブルコードとデータ量又はデータ量区間との対応関係に基づいて、当該受信ユニット７１０で受信されるプリアンブルコードに対応するデータ量を確定し、当該対応するデータ量に基づいて、当該中継端末デバイスにアップリンク伝送リソースを割り当てるようにさらに構成される。
【０１５７】
選択可能な例において、装置７００は、具体的に、上記の実施例における受信側デバイスであっても良く、装置７００は、上記の方法実施例内の受信側デバイスに対応する各フロー及び／又はステップを実施するように構成されることができ、重複を避けるために、ここで省略する。
【０１５８】
なお、上記の装置５００、装置６００、及び装置７００のいずれでも、機能ユニットとして現れる。ここでの用語「ユニット」は、アプリケーション特別集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、電子回路、一つ又は複数のソフトウェア又はファームウェアプログラムを実行するためのプロセッサ（例えば、共有プロセッサ、専用プロセッサ又はプロセッサセット等）と記憶装置、組み合わせロジック回路及び／又はその他の説明している機能をサポートする適切なコンポーネントを意味することが可能である。
【０１５９】
図１０は、本発明の実施例に提供される中継伝送装置８００を概略的に示している。当該装置８００は、レシーバー８１０、及びプロセッサ８２０を含む。
【０１６０】
レシーバー８１０は、送信側デバイスが受信側デバイスに送信する第１の下位レイヤデータフレームを受信するように構成され、ここで、当該第１の下位レイヤデータフレームが、当該送信側デバイスが下位レイヤにおいて、遠端端末デバイス識別子情報を含むメディアアクセス制御（ＭＡＣ）プロトコルデータユニット（ＰＤＵ）に対して処理して得られるものである、
プロセッサ８２０は、下位レイヤにおいて、当該レシーバー８１０で受信される当該第１の下位レイヤデータフレームを転送する必要があることを確定し、しかも下位レイヤにおいて、当該第１の下位レイヤデータフレームに対して転送処理を行うように構成される。
【０１６１】
ここで、当該送信側デバイスが当該遠端端末デバイスであり、且つ当該受信側デバイスがネットワークデバイスであり、又は当該送信側デバイスがネットワークデバイスであり、且つ当該受信側デバイスが当該遠端端末デバイスである。
【０１６２】
任意選択で、当該送信側デバイスがネットワークデバイスである場合、当該プロセッサ８２０は、当該レシーバー８１０で、送信側デバイスが受信側デバイスに送信する第１の下位レイヤデータフレームを受信する前に、中継特定無線ネットワーク一時識別子（ＲＮＴＩ）によってアドレッシングするようにさらに構成される。この場合、当該プロセッサ８２０は、具体的に、当該第１の下位レイヤデータフレームが、当該中継端末デバイスが当該アドレッシングによって受信されるものである場合、当該中継端末デバイスは、当該第１の下位レイヤデータフレームを転送する必要があることを確定するように構成される。
【０１６３】
任意選択で、当該第１の下位レイヤデータフレームは、当該送信側デバイスが中継伝送用の伝送リソースを使用して送信されるものであり。この場合、当該プロセッサ８２０は、具体的に、当該第１の下位レイヤデータフレームに占用される当該伝送リソースに基づいて、当該第１の下位レイヤデータフレームを転送する必要があることを確定するように構成される。
【０１６４】
任意選択で、遠端端末デバイスの識別子情報は、当該遠端端末デバイスのレイヤ２識別子又は当該遠端端末デバイスの端末デバイス識別子を含む。
【０１６５】
任意選択で、当該ネットワークデバイスの下位レイヤは、具体的に物理層であり、当該遠端端末デバイスの下位レイヤは、当該遠端端末デバイス及び当該中継端末デバイスとの間で採用されるＤ２Ｄ通信技術と対応する。
【０１６６】
任意選択で、当該遠端端末デバイスの識別子情報は、当該ＭＡＣ  ＰＤＵのＭＡＣ制御要素フィールドにベアリングされる。
【０１６７】
任意選択で、当該送信側デバイスが当該遠端端末デバイスであり、且つ当該受信側デバイスが当該ネットワークデバイスである場合、当該プロセッサ８２０は、下位レイヤにおいて当該第１の下位レイヤデータフレームに対して転送処理を行う前に、下位レイヤにおいて、物理アップリンク制御チャネル（ＰＵＣＣＨ）リソースとデータ量又はデータ量区間との対応関係に基づいて、当該第１の下位レイヤデータフレームに含まれるデータ量に対応する物理アップリンク制御チャネル（ＰＵＣＣＨ）リソースを確定するようにさらに構成され、それに応じて、当該装置８００は、トランスミッター８３０をさらに含み、当該プロセッサ８２０で確定された当該対応するＰＵＣＣＨリソースを使用して、当該ネットワークデバイスにスケジューリング要求を送信するように構成される。
【０１６８】
任意選択で、当該送信側デバイスが当該遠端端末デバイスであり、且つ当該受信側デバイスが当該ネットワークデバイスである場合、当該プロセッサ８２０は、下位レイヤにおいて当該第１の下位レイヤデータフレームに対して転送処理を行う前に、下位レイヤにおいて、プリアンブルコードとデータ量又はデータ量区間との対応関係に基づいて、当該第１の下位レイヤデータフレームに含まれるデータ量に対応するプリアンブルコードを確定するようにさらに構成され、それに応じて、図１０に示すように、当該装置８００はトランスミッター８３０をさらに含み、当該ネットワークデバイスに当該対応するプリアンブルコードを送信するように構成され、当該対応するプリアンブルコードが、当該ネットワークデバイスが当該中継端末デバイスにアップリンク伝送リソースを割り当てるために用いられる。
【０１６９】
任意選択で、当該プロセッサ８２０は、具体的に、当該第１の下位レイヤデータフレームに対して復号化処理を行い、当該第１の下位レイヤデータフレームに含まれるデータを取得し、しかも当該データに対して符号化処理を行い、第２の下位レイヤデータフレームを得るように構成され、それに応じて、当該装置８００はトランスミッター８３０をさらに含み、当該プロセッサ８２０で得られる当該第２の下位レイヤデータフレームを送信するように構成される。
【０１７０】
任意選択で、当該装置８００は、トランスミッター８３０をさらに含み、ここで、当該プロセッサ８２０は、具体的に、当該トランスミッター８３０によって、下位レイヤにおいて当該第１の下位レイヤデータフレームを直接に送信するように構成される。
【０１７１】
選択可能な例において、装置８００は、具体的に、上記の実施例における中継端末デバイスであっても良く、装置８００は、上記の方法実施例内の中継端末デバイスに対応する各フロー及び／又はステップを実施するように構成されることができる。任意選択で、装置８００は、記憶装置をさらに含むことができ、当該記憶装置は読み取り専用メモリとランダムアクセスメモリを含むことができ、プロセッサに命令とデータを提供する。記憶装置の一部は、不揮発性ランダムアクセスメモリをさらに含むことができる。例えば、記憶装置は、デバイスタイプの情報を記憶することができる。プロセッサは、記憶装置に記憶する命令を実行するように構成され、当該プロセッサが記憶装置に記憶される命令を実行する時に、当該プロセッサは、上記の方法実施例の各ステップ及び／又はフローを実施するように構成される。
【０１７２】
図１１は、本発明の実施例に提供される別の一つの中継伝送装置９００を概略的に示している。ここで、当該装置９００は、具体的に当該遠端端末デバイスであり、又は当該送信側デバイスはネットワークデバイスである。図１１に示すように、当該装置９００は、プロセッサ９１０、及びトランスミッター９２０を含む。
【０１７３】
プロセッサ９１０は、メディアアクセス制御（ＭＡＣ）プロトコルデータユニット（ＰＤＵ）を生成するように構成され、ここで、当該ＭＡＣ  ＰＤＵが遠端端末デバイスの識別子情報を含む。
【０１７４】
トランスミッター９２０は、中継端末デバイスに、下位レイヤで当該ＭＡＣ  ＰＤＵに対して処理して得られる第１の下位レイヤデータフレームを送信するように構成される。
【０１７５】
任意選択で、当該装置９００がネットワークデバイスである場合、当該トランスミッター９２０は、中継端末デバイスに当該第１の下位レイヤデータフレームを送信する前に、当該中継端末デバイスにＰＤＣＣＨを送信するように構成され、ここで、当該ＰＤＣＣＨが当該第１の下位レイヤデータフレームをスケジューリングするために用いられ、当該ＰＤＣＣＨが、中継特定無線ネットワーク一時識別子（ＲＮＴＩ）を使用してスクランブリングされるものである。
【０１７６】
任意選択で、当該トランスミッター９２０は、具体的に、中継伝送用の伝送リソースを使用して、中継端末デバイスに当該第１の下位レイヤデータフレームを送信するように構成される。
【０１７７】
任意選択で、当該遠端端末デバイスの識別子情報は、当該遠端端末デバイスのレイヤ２識別子又は当該遠端端末デバイスの端末デバイス識別子を含む。
【０１７８】
任意選択で、当該遠端端末デバイスの識別子情報は、当該ＭＡＣ  ＰＤＵのＭＡＣ制御要素フィールドにベアリングされる。
【０１７９】
選択可能な例において、装置９００は、具体的に、上記の実施例における送信側デバイスであっても良く、装置９００は、上記の方法実施例内の送信側デバイスに対応する各フロー及び／又はステップを実施するように構成されることができる。任意選択で、装置９００は、記憶装置をさらに含むことができ、当該記憶装置は読み取り専用メモリとランダムアクセスメモリを含むことができ、プロセッサに命令とデータを提供する。記憶装置の一部は、不揮発性ランダムアクセスメモリをさらに含むことができる。例えば、記憶装置は、デバイスタイプの情報を記憶することができる。プロセッサは、記憶装置に記憶する命令を実行するように構成され、当該プロセッサが記憶装置に記憶される命令を実行する時に、当該プロセッサは、上記の方法実施例の各ステップ及び／又はフローを実施するように構成される。
【０１８０】
図１２は、本発明の実施例に提供される別の一つの中継伝送装置１０００を示している。ここで、当該装置１０００は、具体的に、ネットワークデバイスであり、又は当該受信側デバイスは当該遠端端末デバイスである。図１２に示すように、当該装置１０００は、レシーバー１０１０、及びプロセッサ１０２０を含む。
【０１８１】
レシーバー１０１０は、中継端末デバイスにより送信される第２の下位レイヤデータフレームを受信するように構成され、ここで、当該第２の下位レイヤデータフレームは、下位レイヤにおいて、遠端端末デバイス識別子情報を含むメディアアクセス制御（ＭＡＣ）プロトコルデータユニット（ＰＤＵ）に対して処理をして得られるものである。
【０１８２】
プロセッサ１０２０は、上位レイヤにおいて、当該レシーバー１０１０で受信される当該第２の下位レイヤデータフレームに含まれる当該遠端端末デバイスの識別子情報に基づいて、当該第２の下位レイヤデータフレームが当該遠端端末デバイスに対応することを確定するように構成される。
【０１８３】
任意選択で、当該レシーバー１０１０は、具体的に、中継端末デバイスが中継伝送用の伝送リソースを使用して送信される第２の下位レイヤデータフレームを受信するように構成される。
【０１８４】
それに応じて、当該プロセッサ１０２０は、具体的に、当該第２の下位レイヤデータフレームに占用される伝送リソースに基づいて、当該第２の下位レイヤデータフレームが当該中継端末デバイスにより転送されるものであることを確定するように構成される。
【０１８５】
任意選択で、当該装置１０００が当該ネットワークデバイスである場合、当該プロセッサ１０２０は、当該遠端端末デバイスに対応するデータ伝送トンネリングを確定するようにさらに構成される。この場合、図１２に示すように、当該装置１０００はトランスミッター１０３０をさらに含み、当該プロセッサ１０２０で確定された当該対応するデータ伝送トンネリングを介して、コアネットワークデバイスに、当該第２の下位レイヤデータフレームに含まれるデータを送信するように構成される。
【０１８６】
任意選択で、当該遠端端末デバイスの識別子情報は、当該遠端端末デバイスのレイヤ２識別子又は当該遠端端末デバイスの端末デバイス識別子を含む。
【０１８７】
任意選択で、当該遠端端末デバイスの識別子情報は、当該ＭＡＣ  ＰＤＵのＭＡＣ制御要素フィールドにベアリングされる。
【０１８８】
任意選択で、当該装置１０００がネットワークデバイスである場合、当該レシーバー１０１０は、中継端末デバイスにより送信される第２の下位レイヤデータフレームを受信する前に、当該中継端末デバイスにより送信されるスケジューリング要求を受信するようにさらに構成される。
【０１８９】
それに応じて、当該プロセッサ１０２０は、物理アップリンク制御チャネル（ＰＵＣＣＨ）リソースとデータ量又はデータ量区間との対応関係に基づいて、当該レシーバー１０１０で受信される当該スケジューリング要求が占用する物理アップリンク制御チャネル（ＰＵＣＣＨ）リソースに対応するデータ量又はデータ量区間を確定し、当該対応するデータ量又はデータ量区間に基づいて、当該中継端末デバイスにアップリンク伝送リソースを割り当てるように構成される。
【０１９０】
任意選択で、当該装置１０００がネットワークデバイスである場合、当該レシーバー１０１０は、中継端末デバイスにより送信される第２の下位レイヤデータフレームを受信する前に、当該中継端末デバイスにより送信されるプリアンブルコードを受信するようにさらに構成される。
【０１９１】
それに応じて、当該プロセッサ１０２０は、プリアンブルコードとデータ量又はデータ量区間との対応関係に基づいて、当該レシーバー１０１０で受信されるプリアンブルコードに対応するデータ量を確定し、当該対応するデータ量に基づいて、当該中継端末デバイスにアップリンク伝送リソースを割り当てるようにさらに構成される。
【０１９２】
選択可能な例において、装置１０００は、具体的に、上記の実施例における受信側デバイスであっても良く、装置１０００は、上記の方法実施例内の受信側デバイスに対応する各フロー及び／又はステップを実施するように構成されることができる。任意選択で、装置１０００は、記憶装置をさらに含むことができ、当該記憶装置は読み取り専用メモリとランダムアクセスメモリを含むことができ、プロセッサに命令とデータを提供する。記憶装置の一部は、不揮発性ランダムアクセスメモリをさらに含むことができる。例えば、記憶装置は、デバイスタイプの情報を記憶することができる。プロセッサは、記憶装置に記憶する命令を実行するように構成され、当該プロセッサが記憶装置に記憶される命令を実行する時に、当該プロセッサは、上記の方法実施例の各ステップ及び／又はフローを実施するように構成される。
【０１９３】
なお、本発明の実施例において、当該プロセッサーは、中央処理ユニット（ＣＰＵ：Ｃｅｎｔｒａｌ  Ｐｒｏｃｅｓｓｉｎｇ  Ｕｎｉｔ）であっても良く、当該プロセッサーは、その他の汎用プロセッサー、デジタルシグナルプロセッサ（ＤＳＰ）、専用集積回路（ＡＳＩＣ）、現場でプログラマブルゲートアレイ（ＦＰＧＡ）又はその他のプログラマブルロジックデバイス、ディスクリートゲート又はトランジスタ論理デバイス、ディスクリートハードウェアコンポーネントであってもよい。汎用プロセッサーは、マイクロプロセッサーであっても良く、又は当該プロセッサーはいずれかの通常のプロセッサーなどであっても良い。
【０１９４】
実現過程において、上記方法の実施例における各ステップは、プロセッサにおけるハードウェアの集積論理回路、又はソフトウェア形態の命令により完成されても良い。本発明の実施例に開示された方法を結合するステップは、ハードウェア処理で実行し、又はプロセッサ内のハードウェアとソフトウェアの組み合わせで実行すると直接に現れる。ソフトウェアモジュールは、ランダム記憶装置、フラッシュ、読み取り専用記憶装置、プログラマブル読み取り専用メモリ又は電気的消去可能プログラマブルメモリ、レジスタなどの本分野における成熟した記憶媒体に位置してもよい。該記憶媒質はメモリに位置し、プロセッサはメモリにおけ命令を実行し、そのハードウェアと組み合わせて上記方法のステップを完成する。重複を避けるために、ここで省略する。
【０１９５】
なお、重複を避けるために、本願における実施例の記載が、主に各実施例間の異なる部分を強調し、それらの同様又は類似する部分を互いに参照することが可能である。
【０１９６】
本願に開示されている実施例の記載を結合した各方法ステップとユニットは、電子ハードウェア、コンピュータソフトウェア、又はそれらの結合で実現することができることを、当業者であれば理解できる。ハードウェアとソフトウェアの互換性の可能性を明確に説明するため、上記の説明において機能に基づいて各実施例のステップ、及び組成を一般的に説明している。これらの機能はハードウェアそれともソフトウェアで実行するかは、技術案の特定運用と設計制約に依存する。当業者は、各特定した運用に基づいて異なる方法を使用して記載されている機能を実現することができるが、このような実現は、本発明の範囲外というわけではない。
【０１９７】
当業者は、上記に記載されているマルチメディア情報再生方法の実施例、標準化サーバの実施例、及び生放送端末の実施例は参考し合うことが可能であることを、明確に理解すべきであり、説明の便利と簡潔のために、ここでそれ以上を述べない。
【０１９８】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０１９９】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０２００】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。上記の統合するユニットは、ハードウェアで実現されても良く、ソフトウェア機能ユニットで実現しても良い。
【０２０１】
前記統合するユニットは、ソフトウェア機能モジュールの方式で実現し、しかも独立な製品として販売又は使用する時に、コンピュータ読み取り可能の記憶媒体に記憶しても良い。これによって、本発明の実施例の技術案は、事実上、言い換えれば先行技術に貢献した部分として、ソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させるための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０２０２】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2020171052.tif 000003
【図２】
2020171052.tif 000004
【図３】
2020171052.tif 000005
【図４】
2020171052.tif 000006
【図５】
2020171052.tif 000007
【図６】
2020171052.tif 000008
【図７】
2020171052.tif 000009
【図８】
2020171052.tif 000010
【図９】
2020171052.tif 000011
【図１０】
2020171052.tif 000012
【図１１】
2020171052.tif 000013
【図１２】
2020171052.tif 000014